(57)【要約】      （修正有）【課題】フロー制御を行うユーザ通信装置（ＵＥ）を提供する。【解決手段】モバイルデバイスは、データの混雑を特定し、ＵＥにデータを送信中の基地局に推奨されるデータレートの変更無線信号（例えば、推奨される低減されたデータレート）を送信する。基地局は、ダウンリンク（ＤＬ）のデータレートを低減する。ＵＥは、低減されたデータレートで基地局からデータを受信することができる。フロー制御は、ＵＥによって決定されて基地局に送信された低減されたデータレートの変更に基づいて基地局側（例えば、ネットワーク（ＮＷ）側とときどき呼ばれる）において実装することができる。ＵＥが受信されたデータを成功裏に処理すること及びそれの機能を成功裏に実行することを可能にするためにＵＥへのデータレート送信を低減させる。【選択図】図４
2014195272.tif 000002
【特許請求の範囲】
【請求項１】
無線通信システムにおいて動作可能なユーザ通信装置であって、
一データレートで基地局からデータを受信し、
前記ユーザ通信装置における混雑を特定し、
前記基地局に推奨されるデータレートの変更無線信号を送信し、及び
前記推奨されるデータレートで前記基地局からデータを受信するための命令を保持するメモリと、
前記命令を実行するプロセッサと、を備える、ユーザ通信装置。
【請求項２】
前記メモリは、前記推奨されるデータレートを示すための追加のＭＡＣ制御要素を組み入れるための命令をさらに保持する請求項１に記載のユーザ通信装置。
【請求項３】
前記追加のＭＡＣ制御要素は、新たな要求されるデータレートを示すためのフィールドを備える請求項２に記載のユーザ通信装置。
【請求項４】
前記追加のＭＡＣ制御要素は、最大転送ブロックサイズを示すためのフィールドを備える請求項２に記載のユーザ通信装置。
【請求項５】
前記追加のＭＡＣ制御要素は、相対的最大転送ブロックサイズを示すためのフィールドを備える請求項２に記載のユーザ通信装置。
【請求項６】
前記追加のＭＡＣ制御要素は、フロー制御タイマ値を示すためのフィールドを備える請求項２に記載のユーザ通信装置。
【請求項７】
前記追加のＭＡＣ制御要素は、前記フロー制御タイマ値の適用を制御するフロー制御ビットを示すためのフィールドを備える請求項６に記載のユーザ通信装置。
【請求項８】
前記メモリは、前記推奨されるデータレートを示すために既存のＭＡＣ制御要素を変更するための命令をさらに保持する請求項１に記載のユーザ通信装置。
【請求項９】
前記既存のＭＡＣ制御要素は、新たな要求されるデータレートを示すためのフィールドを備える請求項８に記載のユーザ通信装置。
【請求項１０】
前記既存のＭＡＣ制御要素は、縮小された最大転送ブロックサイズを示すためのフィールドを備える請求項８に記載のユーザ通信装置。
【請求項１１】
前記既存のＭＡＣ制御要素は、前記基地局によって前記ユーザ通信装置に送信されるデータのタイプを調整するためのフィールドを備える請求項８に記載のユーザ通信装置。
【請求項１２】
前記既存のＭＡＣ制御要素は、前記電力ヘッドルーム制御要素である請求項８に記載のユーザ通信装置。
【請求項１３】
一データレートで基地局からデータを受信することと、
ユーザ通信装置における混雑を特定することと、
前記基地局に推奨されるデータレートの変更無線信号を送信することと、
前記推奨されるデータレートで前記基地局からデータを受信することと、を備える、無線通信方法。
【請求項１４】
前記推奨されるデータレートを示すために前記基地局に追加のＭＡＣ制御要素を送信することをさらに備える請求項１３に記載の方法。
【請求項１５】
前記追加のＭＡＣ制御要素は、新たな要求されるデータレートを示すためのフィールドを備える請求項１４に記載の方法。
【請求項１６】
前記追加のＭＡＣ制御要素は、最大転送ブロックサイズを示すためのフィールドを備える請求項１４に記載の方法。
【請求項１７】
前記追加のＭＡＣ制御要素は、相対的最大転送ブロックサイズを示すためのフィールドを備える請求項１４に記載の方法。
【請求項１８】
前記追加のＭＡＣ制御要素は、フロー制御タイマ値を示すためのフィールドを備える請求項１４に記載の方法。
【請求項１９】
前記追加のＭＡＣ制御要素は、前記フロー制御タイマ値の適用を制御するフロー制御ビットを示すためのフィールドを備える請求項１８に記載の方法。
【請求項２０】
前記推奨されるデータレートを示すために既存のＭＡＣ制御要素を変更することと前記基地局に前記変更されたＭＡＣ制御要素を送信することとをさらに備える請求項１３に記載の方法。
【請求項２１】
前記既存のＭＡＣ制御要素は、新たな要求されるデータレートを示すためのフィールドを備える請求項２０に記載の方法。
【請求項２２】
前記既存のＭＡＣ制御要素は、縮小された最大転送ブロックサイズを示すためのフィールドを備える請求項２０に記載の方法。
【請求項２３】
前記既存のＭＡＣ制御要素は、前記基地局によって前記ユーザ通信装置に送信されるデータの前記タイプを調整するためのフィールドを備える請求項２０に記載の方法。
【請求項２４】
前記既存のＭＡＣ制御要素は、前記電力ヘッドルーム制御要素である請求項２０に記載の方法。
【請求項２５】
一データレートで基地局からデータを受信するための手段と、
ユーザ通信装置における混雑を特定するための手段と、
前記基地局に推奨されるデータレートの変更無線信号を送信するための手段と、
前記推奨されるデータレートで前記基地局からデータを受信するための手段と、を備える、無線通信システムにおいて動作可能な装置。
【請求項２６】
前記推奨されるデータレートを示すために前記基地局に追加のＭＡＣ制御要素を送信するための手段をさらに備える請求項２５に記載の装置。
【請求項２７】
前記追加のＭＡＣ制御要素は、新たな要求されるデータレートを示すためのフィールドを備える請求項２６に記載の装置。
【請求項２８】
前記追加のＭＡＣ制御要素は、最大転送ブロックサイズを示すためのフィールドを備える請求項２６に記載の装置。
【請求項２９】
前記追加のＭＡＣ制御要素は、相対的最大転送ブロックサイズを示すためのフィールドを備える請求項２６に記載の装置。
【請求項３０】
前記追加のＭＡＣ制御要素は、フロー制御タイマ値を示すためのフィールドを備える請求項２６に記載の装置。
【請求項３１】
前記追加のＭＡＣ制御要素は、前記フロー制御タイマ値の適用を制御するフロー制御ビットを示すためのフィールドを備える請求項３０に記載の装置。
【請求項３２】
前記推奨されるデータレートを示すために既存のＭＡＣ制御要素を変更し及び前記基地局に前記変更されたＭＡＣ制御要素を送信するための手段をさらに備える請求項２５に記載の装置。
【請求項３３】
前記既存のＭＡＣ制御要素は、新たな要求されるデータレートを示すためのフィールドを備える請求項３２に記載の装置。
【請求項３４】
前記既存のＭＡＣ制御要素は、縮小された最大転送ブロックサイズを示すためのフィールドを備える請求項３２に記載の装置。
【請求項３５】
前記既存のＭＡＣ制御要素は、前記基地局によって前記ユーザ通信装置に送信されるデータの前記タイプを調整するためのフィールドを備える請求項３２に記載の装置。
【請求項３６】
前記既存のＭＡＣ制御要素は、前記電力ヘッドルーム制御要素である請求項３２に記載の装置。
【請求項３７】
一データレートで基地局からデータを受信し、
ユーザ通信装置における混雑を特定し、
前記基地局に推奨されるデータレートの変更無線信号を送信し、及び
前記推奨されるデータレートで前記基地局からデータを受信することを少なくとも１つのコンピュータに行わせるための符号を備えるコンピュータによって読み取り可能な媒体、を備える、コンピュータプログラム製品。
【請求項３８】
前記推奨されるデータレートを示すために前記基地局に追加のＭＡＣ制御要素を送信することを少なくとも１つのコンピュータに行わせるための符号をさらに備える請求項３７に記載のコンピュータプログラム製品。
【請求項３９】
前記追加のＭＡＣ制御要素は、新たな要求されるデータレートを示すためのフィールドを備える請求項３８に記載のコンピュータプログラム製品。
【請求項４０】
前記追加のＭＡＣ制御要素は、最大転送ブロックサイズを示すためのフィールドを備える請求項３８に記載のコンピュータプログラム製品。
【請求項４１】
前記追加のＭＡＣ制御要素は、相対的最大転送ブロックサイズを示すためのフィールドを備える請求項３８に記載のコンピュータプログラム製品。
【請求項４２】
前記追加のＭＡＣ制御要素は、フロー制御タイマ値を示すためのフィールドを備える請求項４１に記載のコンピュータプログラム製品。
【請求項４３】
前記追加のＭＡＣ制御要素は、前記フロー制御タイマ値の適用を制御するフロー制御ビットを示すためのフィールドを備える請求項４２に記載のコンピュータプログラム製品。
【請求項４４】
前記推奨されるデータレートを示すために既存のＭＡＣ制御要素を変更すること及び前記基地局に前記変更されたＭＡＣ制御要素を送信することを少なくとも１つのコンピュータに行わせるための符号をさらに備える請求項３７に記載のコンピュータプログラム製品。
【請求項４５】
前記既存のＭＡＣ制御要素は、新たな要求されるデータレートを示すためのフィールドを備える請求項４４に記載のコンピュータプログラム製品。
【請求項４６】
前記既存のＭＡＣ制御要素は、縮小された最大転送ブロックサイズを示すためのフィールドを備える請求項４４に記載のコンピュータプログラム製品。
【請求項４７】
前記既存のＭＡＣ制御要素は、前記基地局によって前記ユーザ通信装置に送信されるデータの前記タイプを調整するためのフィールドを備える請求項４４に記載のコンピュータプログラム製品。
【請求項４８】
前記既存のＭＡＣ制御要素は、前記電力ヘッドルーム制御要素である請求項４４に記載のコンピュータプログラム製品。
【発明の詳細な説明】
【技術分野】
【０００１】
関連出願の相互参照
本出願は、ここにおける引用によってその全体が組み入れられている米国仮特許出願第６１／１８５，０４９号（出願日：２００９年６月８日）の３５Ｕ．Ｓ．Ｃ．１１９（ｅ）に準じた利益を主張するものである。
【０００２】
以下の説明は、概して、無線通信システムに関するものである。以下の説明は、より具体的には、モバイルデバイスのためのフロー制御を提供することに関するものである。
【背景技術】
【０００３】
様々なタイプの通信コンテンツ、例えば音声、データ、等、を提供することを目的として無線通信システムが広範囲にわたって配備されている。これらのシステムは、利用可能なシステムリソース（例えば、帯域幅及び送信電力）を共有することによって複数のユーザとの通信をサポートすることが可能な多元接続システムであることができる。該多元接続システムの例は、符号分割多元接続（ＣＤＭＡ）システムと、時分割多元接続（ＴＤＭＡ）システムと、周波数分割多元接続（ＦＤＭＡ）システムと、３ＧＰＰロングタームエボリューション（Ｌｏｎｇ  Ｔｅｒｍ  Ｅｖｏｌｕｔｉｏｎ）（ＬＴＥ）システムと、アドバンスト（Ａｄｖａｎｃｅｄ）ＬＴＥシステム（ＬＴＥ−Ａ）と、直交周波数分割多元接続（ＯＦＤＭＡ）システムと、を含む。
【０００４】
様々なタイプの通信コンテンツ、例えば音声、データ、等、を提供することを目的として無線通信システムが広範囲にわたって配備されている。これらのシステムは、利用可能なシステムリソース（例えば、帯域幅及び送信電力）を共有することによって複数のユーザとの通信をサポートすることが可能な多元接続システムであることができる。該多元接続システムの例は、符号分割多元接続（ＣＤＭＡ）システムと、時分割多元接続（ＴＤＭＡ）システムと、周波数分割多元接続（ＦＤＭＡ）システムと、３ＧＰＰロングタームエボリューション（Ｌｏｎｇ  Ｔｅｒｍ  Ｅｖｏｌｕｔｉｏｎ）（ＬＴＥ）システムと、アドバンスト（Ａｄｖａｎｃｅｄ）ＬＴＥシステム（ＬＴＥ−Ａ）と、直交周波数分割多元接続（ＯＦＤＭＡ）システムと、を含む。
【０００５】
概して、無線多元接続通信システムは、複数の無線端末のための通信を同時にサポートすることができる。各端末は、順方向リンク及び逆方向リンクにおける送信を介して１つ以上の基地局と通信する。順方向リンク（又はダウンリンク）は、基地局から端末への通信リンクを意味し、逆方向リンク（又はアップリンク）は、端末から基地局への通信リンクを意味する。この通信リンクは、単入力単出力、多入力信号出力又は多入力多出力（ＭＩＭＯ）システムを介して確立することができる。
【０００６】
ＭＩＭＯシステムは、データ送信のために複数（ＮＴ）の送信アンテナ及び複数（ＮＲ）の受信アンテナを採用する。ＮＴの送信アンテナ及びＮＲの受信アンテナによって形成されるＭＩＭＯチャネルは、空間チャネルとも呼ばれるＮＳの独立したチャネルに分解することができ、ここで、ＮＳ≦ｍｉｎ｛ＮＴ、ＮＲ｝である。ＮＳの独立したチャネルの各々は、１つの次元に対応する。ＭＩＭＯシステムは、複数の送信アンテナ及び受信アンテナによって形成された追加の次元が利用される場合に向上された性能（例えば、より高いスループット及び／又はより高い信頼性）を提供することができる。
【０００７】
ＭＩＭＯシステムは、時分割複信（ＴＤＤ）及び周波数分割複信（ＦＤＤ）システムをサポートする。ＴＤＤシステムでは、順方向リンク送信及び逆方向リンク送信は、同じ周波数領域であり、このため、相互性の原理（ｒｅｃｉｐｒｏｃｉｔｙ  ｐｒｉｎｃｉｐｌｅ）が、逆方向リンクチャネルからの順方向リンクチャネルの推定を可能にする。これは、アクセスポイントにおいて複数のアンテナを利用可能であるときにアクセスポイントが順方向リンクでの送信ビーム形成利得を抽出するのを可能にする。
【０００８】
現在のＬＴＥシステムに関しては、基地局又はネットワーク（ＮＷ）側をフロー制御するためのプロトコルも方法も存在しない。しかしながら、フロー制御は、複数のシナリオにおいて、例えば、モバイルデバイス又はユーザ装置（ＵＥ）が高いデータレートを処理できないときに（例えば、ユーザアプリケーション又はタスクがＵＥで実行中であり、メモリ切れになりつつあるとき）、要求されることがある。現在の解決方法は、典型的には、ダウンリンク（ＤＬ）で受信された転送ブロック又は無線リンク制御（ＲＬＣ）プロトコルデータユニット（ＰＤＵ）を（あたかもＲＬＣ ＰＤＵがまったく受信されなかったものとして）単に廃棄（ｄｒｏｐ）するか又は優先度又はサービスの質（ＱＯＳ）又は無線ベアラ（ＲＢ）タイプ（ＤＲＢであるか又はＳＲＢであるか）に基づいてメディアアクセス制御（ＭＡＣ）サービスデータユニット（ＳＤＵ）を選択的に廃棄してのちにＲＬＣレベルでの再送信に依存することによって該シナリオに対処する。残念なことに、そのような従来の方法は、ＤＬ側においてオーバー・ザ・エア帯域幅の不効率性と浪費、及び起こり得る超過の送信電力を引き起こす。
【発明の概要】
【０００９】
以下は、請求される主題の幾つかの態様についての基本的な理解を提供することを目的として簡略化された概要を示すものである。この概要は、広範囲にわたって概説したものではなく、及び請求される主題の重要な／極めて重要な要素を特定することも適用範囲を詳細に説明することも意図されない。それの唯一の目的は、以後において提示されるより詳細な発明を実施するための形態の準備段階として幾つかの概念を単純な形で提示することである。
【００１０】
無線通信を容易にするためにシステム、方法、及び装置が開示される。一実施形態においては、ユーザ通信装置、例えばユーザ装置（ＵＥ）又はモバイルデバイス、は、データの混雑を特定し、ＵＥにデータを送信中である基地局に推奨されるデータレートの変更無線信号（例えば、推奨される低減されたデータレート）を送信する。基地局は、ダウンリンク（ＤＬ）のデータレートを低減されたデータレートに低減させることができる。これで、ＵＥは、低減されたデータレートで基地局からデータを受信することができる。従って、フロー制御は、ＵＥによって決定されて基地局に送信された低減されたデータレートの変更に基づいて基地局側（例えば、ネットワーク（ＮＷ）側と時々呼ばれる）において実装することができる。
【００１１】
上記及び関連する目的の完遂を目的として、以下の説明及び添付図と関係させて幾つかの例示的な態様がここにおいて説明される。しかしながら、これらの態様は、請求される主題の原理を採用することができる様々な方法のうちのほんのわずかを示すにすぎず、請求される主題は、すべての該態様及びそれらの同等物を含むことが意図される。以下の詳細な発明を実施するための形態を図面と関係させて検討することでその他の利点及び新規の特徴が明らかになるであろう。
【図面の簡単な説明】
【００１２】
本開示の特徴、性質、及び利点は、詳細な発明を実施するための形態を、同様の参照文字が全体にわたって対応して同様のものを識別する図面と関係させて解釈することで、より明確になるであろう。
【図１】多元接続無線通信システムを例示した概略図である。
【図２】通信システムのブロック図である。
【図３】ＵＥがＵＥにおける混雑上の難点を基地局に通知すること及びそれらの軽減を提供することを可能にする無線通信システムを例示した概略図である。
【図４】ＵＥにおける混雑を低減させるためのフロー制御を実装する方法を例示したフローチャートである。
【図５】異なるタイプの推奨されるデータレートの変更を選択する方法を例示したフローチャートである。
【図６】追加のＭＡＣ制御要素フィールドの例を示した概略図である。
【図７】変更可能なＭＡＣ制御要素フィールドの例を示した概略図である。
【図８】フロー制御方法を利用するＴＣＰスループットに対する影響を例示したチャートである。
【図９】混雑期間中における回復時間の観察ウィンドウ全体にわたる平均が求められた平均ＴＣＰスループットを例示したチャートである。
【図１０】混雑期間全体にわたる浪費された帯域幅を例示したチャートである。
【発明を実施するための形態】
【００１３】
ここにおいて説明される技法は、様々な無線通信ネットワーク、例えば、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一搬送波ＦＤＭＡ（ＳＣ−ＦＤＭＡ）ネットワーク、等、に関して用いることができる。用語“ネットワーク”及び“システム”は、互換可能な形でしばしば用いられる。ＣＤＭＡネットワークは、ユニバーサル地上無線アクセス（ＵＴＲＡ）、ｃｄｍａ２０００、等の無線技術を実装することができる。ＵＴＲＡは、広帯域−ＣＤＭＡ（Ｗ−ＣＤＭＡ）と、低チップレート（Ｌｏｗ  Ｃｈｉｐ  Ｒａｔｅ）（ＬＣＲ）と、を含む。ｃｄｍａ２０００は、ＩＳ−２０００規格、ＩＳ−９５規格及びＩＳ−８５６規格を網羅する。ＴＤＭＡネットワークは、グローバル移動体通信システム（ＧＳＭ（登録商標）、等の無線技術を実装することができる。ＯＦＤＭＡネットワークは、エボルブド（Ｅｖｏｌｖｅｄ）ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）、等の無線技術を実装することができる。ＵＴＲＡ、Ｅ−ＵＴＲＡ、及びＧＳＭは、ユニバーサル移動体通信システム（ＵＭＴＳ）の一部である。ロングタームエボリューション（ＬＴＥ）は、Ｅ−ＵＴＲＡを使用するＵＭＴＳの近い将来のリリース版である。ＵＴＲＡ、Ｅ−ＵＴＲＡ、ＧＳＭ、ＵＭＴＳ及びＬＴＥは、“第３世代パートナーシッププロジェクト”（３ＧＰＰ）という名称の組織からの文書において記述される。ｃｄｍａ２０００は、“第３世代パートナーシッププロジェクト２”（３ＧＰＰ２）という名称の組織からの文書において記述される。これらの様々な無線技術及び規格は、当業においては既知である。明確化を目的として、これらの技法の一部の態様は、ＬＴＥに関して後述され、以下の説明の多くにおいてＬＴＥ用語が用いられる。
【００１４】
単一搬送波変調及び周波数領域等化を利用する単一搬送波周波数分割多元接続（ＳＣ−ＦＤＭＡ）が１つの技法である。ＳＣ−ＦＤＭＡは、ＯＦＤＭＡシステムの性能と同様のそれ及びＯＦＤＭＡシステムの全体的複雑さと基本的に同じそれを有する。ＳＣ−ＦＤＭＡ信号は、それの固有の単一搬送波構造に起因してより低いピーク対平均電力比（ＰＡＰＲ）を有する。ＳＣ−ＦＤＭＡは、特に、より低いＰＡＰＲが送信電力効率の点でモバイル端末に大きな利益をもたらすアップリンク通信において、多大な注目を集めている。それは、現在は、３ＧＰＰロングタームエボリューション（ＬＴＥ）、又はエボルブドＵＴＲＡにおけるアップリンク多元接続方式に関する作業仮説である。
【００１５】
図１を参照し、一実施形態による多元接続無線通信システムが例示される。アクセスポイント１００（ＡＰ）は、複数のアンテナグループを含み、１つは、アンテナ１０４と１０６とを含み、他は、１０８と１１０とを含み、追加は、１１２と１１４とを含む。図１では、各アンテナグループに関して２本のアンテナのみが示されるが、これよりも多い又は少ない数のアンテナを各アンテナグループのために利用することができる。アクセス端末１１６（ＡＴ）は、アンテナ１１２及び１１４と通信し、アンテナ１１２及び１１４は、順方向リンク１２０を通じてアクセス端末１１６に情報を送信し、逆方向リンク１１８を通じてアクセス端末１１６から情報を受信する。アクセス端末１２２は、アンテナ１０６及び１０８と通信し、アンテナ１０６及び１０８は、順方向リンク１２６を通じてアクセス端末１２２に情報を送信し、逆方向リンク１２４を通じてアクセス端末１２２から情報を受信する。ＦＤＤシステムでは、通信リンク１１８、１２０、１２４及び１２６は、通信のために異なる周波数を用いることができる。例えば、順方向リンク１２０は、逆方向リンク１１８によって用いられる周波数と異なるそれを用いることができる。
【００１６】
各アンテナグループ及び／又はそれらが通信するように設計されているエリアは、アクセスポイントのセクタとしばしば呼ばれる。この実施形態においては、アンテナグループは、各々、アクセスポイント１００によって網羅されるエリアのセクタ内のアクセス端末に対して通信するように設計される。
【００１７】
順方向リンク１２０及び１２６での通信において、アクセスポイント１００の送信アンテナは、異なるアクセス端末１１６及び１２４のための順方向リンクの信号対雑音比を向上させるためにビーム形成を利用する。さらに、それのカバレッジ全体に無作為に散在するアクセス端末に送信するためにビーム形成用いるアクセスポイントは、すべてのそれのアクセス端末に対して単一のアンテナを通じて送信するアクセスポイントよりも低い干渉を近隣セル内のアクセス端末に対して生じさせる。
【００１８】
アクセスポイントは、端末と通信するために用いられる固定局であることができ、基地局、ノードＢ、エボルブドノードＢ−ｅＮＢ、サービングｅＮＢ、ターゲットｅＮＢ、フェムト局、フェムトセル、又はフェムトノード、ピコ局、ピコセル、又は何らかのその他の用語で呼ばれることがある。アクセス端末は、モバイルデバイス、ユーザ装置（ＵＥ）、無線通信デバイス、ユーザ通信装置、端末、又は何らかのその他の用語で呼ばれることもある。
【００１９】
図２は、ＭＩＭＯシステム２００における送信機システム２１０（アクセスポイント（ＡＰ）、基地局、等とも呼ばれる）及び受信機システム２５０（アクセス端末、ユーザ装置（ＵＥ）、モバイルデバイス、等とも呼ばれる）の実施形態のブロック図である。送信機システム２１０では、幾つかのデータストリームのためのトラフィックデータがデータソース２１２から送信（ＴＸ）データプロセッサ２１４に提供される。
【００２０】
一実施形態においては、各データストリームは、各々の送信アンテナを通じて送信される。ＴＸデータプロセッサ２１４は、符号化されたデータを提供するために各データストリームのために選択された特定の符号化方式に基づいてそのデータストリームのためにトラフィックデータをフォーマット化、符号化、及びインターリービングする。
【００２１】
各データストリームのための符号化されたデータは、ＯＦＤＭ技法を用いてパイロットデータと多重化することができる。パイロットデータは、典型的には、既知の方法で処理される既知のデータパターンであり、チャネル応答を推定するために受信機システムにおいて用いることができる。次に、各データストリームのための多重化されたパイロット及び符号化されたデータは、変調シンボルを提供するためにそのデータストリームのために選択された特定の変調方式（例えば、ＢＰＳＫ、ＱＳＰＫ、Ｍ−ＰＳＫ、又はＭ−ＱＡＭ）に基づいて変調（すなわち、シンボルマッピング）される。各データストリームのためのデータレート、符号化、及び変調は、プロセッサ２３０によって実行される命令によって決定することができる。
【００２２】
次に、全データストリームに関する変調シンボルがＴＸ  ＭＩＭＯプロセッサ２２０に提供され、それは、（例えばＯＦＤＭに関して）変調シンボルをさらに処理することができる。ＴＸ  ＭＩＭＯプロセッサ２２０は、ＮＴの変調シンボルストリームをＮＴの送信機（ＴＭＴＲ）２２２ａ乃至２２２ｔに提供する。幾つかの実施形態においては、ＴＸ  ＭＩＭＯプロセッサ２２０は、データストリームのシンボル及びシンボルを送信中であるアンテナにビーム形成重みを加える。
【００２３】
各送信機２２２は、各々のシンボルストリームを受信及び処理して１つ以上のアナログ信号を提供し、これらのアナログ信号をさらにコンディショニング（例えば、増幅、フィルタリング、及びアップコンバージョン）してＭＩＭＯチャネルでの送信に適した変調された信号を提供する。次に、送信機２２２ａ乃至２２２ｔからのＮＴの変調された信号が、ＮＴ本のアンテナ２２４ａ乃至２２４ｔからそれぞれ送信される。
【００２４】
受信機システム２５０において、送信された変調された信号は、ＮＲ本のアンテナ２５２ａ乃至２５２ｒによって受信され、各アンテナ２５２からの受信された信号は、各々の受信機（ＲＣＶＲ）２５４ａ乃至２５４ｒに提供される。各受信機２５４は、各々の受信された信号をコンディショニング（例えば、フィルタリング、増幅、及びダウンコンバージョン）し、コンディショニングされた信号をデジタル化してサンプルを提供し、これらのサンプルをさらに処理して対応する“受信された”シンボルストリームを提供する。
【００２５】
ＲＸデータプロセッサ２６０は、ＮＲの受信機２５４からのＮＲの受信されたシンボルストリームを受信して特定の受信機処理技法に基づいて処理し、ＮＴの“検出された”シンボルストリームを提供する。ＲＸデータプロセッサ２６０は、各々の検出されたシンボルストリームを復調、デインターリービング、及び復号し、データストリームのためのトラフィックデータを復元する。ＲＸデータプロセッサ２６０による処理は、送信機システム２１０におけるＴＸ  ＭＩＭＯプロセッサ２２０及びＴＸデータプロセッサ２１４によって行われるそれを補完するものである。
【００２６】
プロセッサ２７０は、（以下において説明される）いずれのプリコーディング行列を使用すべきかを周期的に決定する。プロセッサ２７０は、行列インデックス部分とランク値部分とを備える逆方向リンクメッセージを生成する。
【００２７】
逆方向リンクメッセージは、通信リンク及び／又は受信されたデータストリームに関する様々なタイプの情報を備えることができる。逆方向リンクメッセージは、データソース２３６から幾つかのデータストリームのためのトラフィックデータも受信するＴＸデータプロセッサ２３８によって処理され、変調器２８０によって変調され、送信機２５４ａ乃至２５４ｒによってコンディショニングされ、送信機システム２１０に返信される。
【００２８】
送信機システム２１０において、受信機システム２５０からの変調された信号は、アンテナ２２４によって受信され、受信機２２２によってコンディショニングされ、復調器２４０によって復調され、ＲＸデータプロセッサ２４２によって処理されて受信機システム２５０によって送信された逆方向リンクメッセージが抽出される。次に、プロセッサ２３０は、ビーム形成重みを決定するためにいずれのプリコーディング行列を用いるかを決定し、抽出されたメッセージを処理する。
【００２９】
一態様においては、論理チャネルは、制御チャネル及びトラフィックチャネルに分類される。論理制御チャネルは、システム制御情報をブロードキャストするためのＤＬチャネルであるブロードキャスト制御チャネル（ＢＣＣＨ）を備える。ページング情報を転送するＤＬチャネルであるページング制御チャネル（ＰＣＣＨ）。１つの又は幾つかのＭＴＣＨに関するマルチメディアブロードキャスト及びマルチキャストサービス（ＭＢＭＳ）スケジューリング及び制御情報を送信するために用いられるポイント・ツー・マルチポイントＤＬチャネルであるマルチキャスト制御チャネル（ＭＣＣＨ）。概して、ＲＲＣコネクションを確立後は、このチャネルは、ＭＢＭＳ（注：旧ＭＣＣＨ＋ＭＳＣＨ）を受信するＵＥのみによって用いられる。専用制御チャネル（ＤＣＣＨ）は、専用制御情報を送信し及びＲＲＣコネクションを有するＵＥによって用いられるポイント・ツー・ポイント双方向チャネルである。一態様においては、ユーザ情報の転送のための、１つのＵＥ専用のポイント・ツー・ポイント双方向チャネルである専用トラフィックチャネル（ＤＴＣＨ）を備える。さらに、マルチキャストトラフィックチャネル（ＭＴＣＨ）は、トラフィックデータを送信するためのポイント・ツー・マルチポイントＤＬチャネルである。
【００３０】
一態様においては、トランスポートチャネルがＤＬ及びＵＬに分類される。ＤＬトランスポートチャネルは、セル全体にブロードキャスされ及びその他の制御／トラフィックチャネルのために用いることができるＰＨＹリソースにマッピングされる、ブロードキャストチャネル（ＢＣＨ）と、ダウンリンク共有データチャネル（ＤＬ−ＳＤＣＨ）と、ページングチャネル（ＰＣＨ）と、を備え、ＰＣＨは、ＵＥ節電をサポートする（ＤＲＸサイクルは、ネットワークによってＵＥに示される）。ＵＬトランスポートチャネルは、ランダムアクセスチャネル（ＲＡＣＨ）と、要求チャネル（ＲＥＱＣＨ）と、アップリンク共有データチャネル（ＵＬ−ＳＤＣＨ）と、複数のＰＨＹチャネルと、を備える。ＰＨＹチャネルは、ＤＬチャネル及びＵＬチャネルの組を備える。
【００３１】
ＤＬ  ＰＨＹチャネルは、以下を備える。
【００３２】
共通パイロットチャネル（ＣＰＩＣＨ）
同期化チャネル（ＳＣＨ）
共通制御チャネル（ＣＣＣＨ）
共有ＤＬ制御チャネル（ＳＤＣＣＨ）
マルチキャスト制御チャネル（ＭＣＣＨ）
共有ＵＬ割り当てチャネル（ＳＵＡＣＨ）
確認応答チャネル（ＡＣＫＣＨ）
ＤＬ物理共有データチャネル（ＤＬ−ＰＳＤＣＨ）
ＵＬ電力制御チャネル（ＵＰＣＣＨ）
ページングインジケータチャネル（ＰＩＣＨ）
負荷インジケータチャネル（ＬＩＣＨ）
ＵＬ  ＰＨＹチャネルは、以下を備える。
【００３３】
物理ランダムアクセスチャネル（ＰＲＡＣＨ）
チャネル品質インジケータチャネル（ＣＱＩＣＨ）
確認応答チャネル（ＡＣＫＣＨ）
アンテナ部分組インジケータチャネル（ＡＳＩＣＨ）
共有要求チャネル（ＳＲＥＱＣＨ）
ＵＬ物理共有データチャネル（ＵＬ−ＰＳＤＣＨ）
ブロードバンドパイロットチャネル（ＢＰＩＣＨ）
一態様においては、単一搬送波波形の低ＰＡＲ特性を維持するチャネル構造を提供することができる（いずれかの所定の時点において、チャネルは周波数の点で連続的であるか又は均一なスペースで配置される）。
【００３４】
本明細書の目的上、以下の略語が用いられる。
【００３５】
ＡＭ          確認応答モード
ＡＭＤ        確認応答モードデータ
ＡＲＱ        自動再送要求
ＢＣＣＨ      ブロードキャスト制御チャネル
ＢＣＨ        ブロードキャストチャネル
Ｃ−          制御−
ＣＣＣＨ      共通制御チャネル
ＣＣＨ        制御チャネル
ＣＣＴｒＣＨ  符号化複合転送チャネル
ＣＰ          サイクリックプリフィックス
ＣＲＣ        巡回冗長検査
ＣＴＣＨ      共通トラフィックチャネル
ＤＣＣＨ      専用制御チャネル
ＤＣＨ        専用チャネル
ＤＬ          ダウンリンク
ＤＳＣＨ      ダウンリンク共有チャネル
ＤＴＣＨ      専用トラフィックチャネル
ＦＡＣＨ      順方向リンクアクセスチャネル
ＦＣ          フロー制御
ＦＤＤ        周波数分割複信
Ｌ１          レイヤ１（物理層）
Ｌ２          レイヤ２（データリンク層）
Ｌ３          レイヤ３（ネットワーク層）
ＬＩ          長さインジケータ
ＬＳＢ        最下位ビット
ＭＡＣ        メディアアクセス制御
ＭＢＭＳ      マルチメディアブロードキャストマルチキャストサービス
ＭＣＣＨ      ＭＢＭＳポイント・ツー・マルチポイント制御チャネル
ＭＲＷ        移動受信ウィンドウ
ＭＳＢ        最上位ビット
ＭＳＣＨ      ＭＢＭＳポイント・ツー・マルチポイントスケジューリングチャネル
ＭＴＣＨ      ＭＢＭＳポイント・ツー・マルチポイントトラフィックチャネル
ＰＣＣＨ      ページング制御チャネル
ＰＣＨ        ページングチャネル
ＰＤＵ        プロトコルデータユニット
ＰＨＹ        物理層
ＰｈｙＣＨ    物理チャネル
ＲＡＣＨ      ランダムアクセスチャネル
ＲＬＣ        無線リンク制御
ＲＲＣ        無線リソース制御
ＳＡＰ        サービスアクセスポイント
ＳＤＵ        サービスデータユニット
ＳＨＣＣＨ    共有チャネル制御チャネル
ＳＮ          シーケンス番号
ＳＵＦＩ      スーパーフィールド
ＴＣＨ        トラフィックチャネル
ＴＣＰ        転送制御プロトコル
ＴＤＤ        時分割複信
ＴＦＩ        転送フォーマットインジケータ
ＴＭ          トランスペアレントモード
ＴＭＤ        トランスペアレントモードデータ
ＴＴＩ        送信時間間隔
Ｕ−          ユーザ−
ＵＥ          ユーザ装置
ＵＬ          アップリンク
ＵＭ          無応答モード
ＵＭＤ        無応答モードデータ
ＵＭＴＳ      ユニバーサル移動体通信システム
ＵＴＲＡ      ＵＭＴＳ地上無線アクセス
ＵＴＲＡＮ    ＵＭＴＳ地上無線アクセスネットワーク
ＭＢＳＦＮ    マルチキャストブロードキャスト単一周波数ネットワーク
ＭＣＥ        ＭＢＭＳ調整エンティティ
ＭＣＨ        マルチキャストチャネル
ＤＬ−ＳＣＨ  ダウンリンク共有チャネル
ＭＳＣＨ      ＭＢＭＳ制御チャネル
ＰＤＣＣＨ    物理ダウンリンク制御チャネル
ＰＤＳＣＨ    物理ダウンリンク共有チャネル
ＮＷ      ネットワーク
ＲＢ      無線ベアラ
ＤＲＢ    データ無線ベアラ
ＳＲＢ    シグナリング無線ベアラ
ＣＥ      制御要素
ＤＬ      ダウンリンク
ＱＯＳ    サービスの質
説明されることになるように、無線通信を容易にするためにシステム、方法、及び装置が開示される。一実施形態においては、ユーザ装置（ＵＥ）、例えばモバイルデバイス、は、データの混雑を特定し、ＵＥにデータを送信中である基地局に推奨されるデータレートの変更無線信号（例えば、推奨される低減されたデータレート）を送信する。基地局は、ダウンリンクＤＬのデータレートを低減されたデータレートに低減させることができる。これで、ＵＥは、低減されたデータレートで基地局からデータを受信することができる。従って、フロー制御は、ＵＥによって決定されて基地局に送信された低減されたデータレートの変更に基づいて基地局側（例えば、ネットワーク（ＮＷ）側と時々呼ばれる）において実装することができる。この方法により、ＵＥが受信されたデータを成功裏に処理すること及びそれの機能を成功裏に実行することを可能にするためにＵＥへのデータレート送信を低減させることができる。
【００３６】
図３を参照し、一実施形態による無線通信システム３００が例示される。無線通信システム３００は、無線通信信号３０３を受信し、互いに対して及び／又は１つ以上のモバイルデバイス又はＵＥ３０４に対して及び／又はネットワーク３１３に対して送信し、再送し、及びその他を行う１つ以上のセクタ内の１つ以上の基地局３０２を備えることができる。
【００３７】
ネットワーク３１３は、その他の無線ネットワーク、例えば、送信制御プロトコル／インターネットプロトコル（ＴＣＰ／ＩＰ）、非同期転送モード（ＡＴＭ）、フレームリレー（ＦＲ）、ポイント・ツー・ポイントプロトコル（ＰＰＰ）、システムネットワークアーキテクチャ（ＳＮＡ）、ボイス・オーバー・インターネットプロトコル（ＶｏＩＰ）、又は何らかのその他の種類のプロトコルを利用することができるパケット化型、パケット交換型、コネクション指向型、等のネットワークである、無線ローカルエリアネットワーク（ＷＬＡＮ）、無線パーソナルエリアネットワーク（ＷＰＡＮ）及び／又は無線ホームネットワーク、及び、その他のタイプの無線ネットワーク及び／又は有線ネットワーク、例えば、電力線通信（ＰＬＣ）又は標準的なイーサネット（登録商標）ネットワーク（例えば、ローカルエリアネットワーク（ＬＡＮ）、又はワイドエリアネットワーク（ＷＡＮ）、インターネット、等）に基づく有線ネットワーク、であることができる。例えば、コンピュータネットワーク３１３は、パケットを用いたサーバとコンピュータとの間でのデータトラフィックの通信を可能にすることができる。一例として、ネットワーク３１３は、ＵＥ３０４が無線通信信号３０３を介してインターネット３１３を通じてアクセス可能であるプライベート企業ネットワークを含むことができる。他の例として、ネットワーク３１３は、ＵＥ３０４が無線通信信号３０３を介してインターネット３１３を通じてアクセス可能である音楽又は映像アクセス可能サーバを含むことができる。
【００３８】
各基地局３０２は、複数の送信機チェーンと受信機チェーンとを備えることができ（各送信アンテナ及び受信アンテナのために１つ）、それらの各々は、信号の送信及び受信と関連づけられた複数のコンポーネント（例えば、プロセッサ、変調器、マルチプレクサ、復調器、デマルチプレクサ、アンテナ、等）を備えることができる。各ＵＥ３０４は、１つ以上の送信機チェーンと受信機チェーンとを備えることができ、それらは、多入力多出力（ＭＩＭＯ）システムのために利用することができる。さらに、当業者によって評価されることになるように、各送信機及び受信機チェーンは、信号の送信及び受信と関連付けられた複数のコンポーネント（例えば、プロセッサ、変調器、マルチプレクサ、復調器、デマルチプレクサ、アンテナ、等）を備えることができる。
【００３９】
図３において例示されるように、無線信号３０３内のフロー制御メッセージ３０８を提供することができ、ＤＬでのデータ送信のレートを低減させるように基地局３０２（例えば、ノードＢ、エボルブドノードＢ（ｅＮＢ）、等）に助言するメッセージをＵＥ３０４から基地局３０２に送信することができる。
【００４０】
一例として、フロー制御メッセージ３０８は、関連付けられたフロー制御メッセージ３０８が新たな推奨される（例えば、低減された）データレートを示すための新たな／追加のＭＡＣ制御要素３１０を導入できるように追加のＭＡＣ制御要素３１０（例えば、ＭＡＣ  ＣＯＮＴＲＯＬ  ＰＤＵ）（ＭＡＣ制御ＰＤＵ）をＭＡＣプロトコルの一部として含めることができる。他の例として、希望される推奨される（例えば、低減された）データレートを示すために既存のＭＡＣ制御要素３１２（例えば、ＭＡＣ  ＣＯＮＴＲＯＬ  ＰＤＵ）を変更することができる。
【００４１】
図２において前述されるように、基地局２１０及びＵＥ２５０の両方が、命令を実行するプロセッサと、信号及びデータを受信、送信、復調、及び処理する、等のための命令を保持するメモリと、を含む。以下において説明されることになるように、一実施形態においては、各々のプロセッサの制御下にあるＵＥ３０４及び基地局３０２は、（図２に示されるように）各々のメモリによって格納された命令を実装し、従って、ＵＥ３０４は、データの混雑を特定し、ＵＥ３０４は、推奨されるデータレートの変更無線信号３０３（例えば、低減されたデータレート）を基地局３０２に送信し、基地局３０２は、ＤＬのデータレートを低減されたデータレートに低減し、ＵＥ３０４は、低減されたデータレートで基地局３０２からデータを受信する。
【００４２】
一実施形態においては、推奨されるデータレートを示すために追加のＭＡＣ制御要素３１０が用いられる。追加のＭＡＣ制御要素３１０は、次、すなわち、新たな要求されるデータレート、又は最大転送ブロックサイズ、又は相対的最大転送ブロックサイズ、及び任意選択でのフロー制御タイマ値、のうちの１つを含めることができる。他の実施形態においては、推奨されるデータレートを示すために既存のＭＡＣ制御要素３１２を変更することができる。変更されたＭＡＣ制御要素３１２は、新たな要求されるデータレート、又は縮小された最大転送ブロックサイズ、又は相対的最大転送ブロックサイズ、及び任意選択でのフロー制御タイマ値を含めることができる。
【００４３】
図４を参照し、図４は、一実施形態による、ＵＥにおける混雑を低減させるためにフロー制御を実装するための関連方法４００を例示するフローチャートである。ブロック４１０において、一データレートで基地局３０２からＵＥ３０４によってデータが受信される。次に、ブロック４１０において、ＵＥ３０４で混雑が特定される。（ＵＥ３０４によって決定された）推奨されるデータレートの変更がＵＥ３０４によって基地局に無線信号３０３として送信される（ブロック４３０）。推奨されるデータレートの変更は、典型的には、低減されたデータレートである。ＵＥ３０４は、推奨されるデータレート（例えば、低減されたデータレート）で基地局３０２からデータを受信する（ブロック４４０）。
【００４４】
従って、一実施形態においては、フロー制御は、ＵＥ３０４によって決定されて送信された低減された推奨されるデータレートの変更無線信号３０３に基づいて基地局３０２側（例えば、ネットワーク（ＮＷ）側又はｅＮＢ側と時々呼ばれる）で発生する。従って、最初に、ＵＥ３０４における混雑を特定することができ、次に、該混雑に関してＵＥ３０４から基地局３０２にメッセージを送信することができる。データレート変更／低減レートがそれによって基地局３０２に提案される。次に、ＵＥ３０４は、ＤＬを介して基地局３０２から低減されたレートでデータを受信することができる。
【００４５】
図５を参照し、図５は、一実施形態による、異なるタイプの推奨されるデータレートの変更を選択するための関連方法５００を例示するフローチャートである。判断ブロック５１０において、推奨されるデータレートの変更がＵＥ３０４によって選択される。以下において詳細に説明されることになるように、追加の制御要素３１０を選択することができ（ブロック５１５）、既存のＭＡＣ制御要素３１２を変更することができ（ブロック５２０）、又はＮＷフロー制御時間を利用することができる（ブロック５３０）。
【００４６】
このように、本発明の実施形態は、ＵＥ３０４が、該ＵＥが経験中である混雑上の難点を基地局３０２（例えば、ｅＮＢ）に通知するのを可能にする。例えば、ＵＥ３０４は、ＤＬからのデータを処理できないことがある。ＵＥ３０４は、基地局３０２が該混雑に対処するためにデータ転送のレートを変更するように要求することができる。従って、推奨されるデータレートの変更メッセージ信号３０３は、基地局３０２がＤＬでのデータ送信のレートを低減させるように要求するためにＵＥ３０４から該基地局に無線送信することができる。この方法により、データ送信の低減は、関連付けられたデータパケットの損失をさらに軽減することができる。推奨されるデータレートの変更メッセージ信号３０３は、関連付けられたフロー制御メッセージ３０８が新たな追加のＭＡＣ制御要素３１０（例えば、ＭＡＣ制御ＰＤＵ）を導入することができるように追加のＭＡＣ制御要素３１０をＭＡＣプロトコルの一部として含めることができる。代替として、既存のＭＡＣ制御要素３１２を変更することができる。
【００４７】
現在の３ＧＰＰ仕様には、ネットワーク（ＮＷ）側（例えば、基地局３０２）をフロー制御するためのプロトコルも方法も存在しない。しかしながら、フロー制御は、複数のシナリオにおいて、例えばＵＥ３０４がより高いデータレートを処理できないときに（例えば、ＵＥで実行中のユーザアプリケーション又はタスクがメモリ不足になりつつあるとき）、望ましいであろう。残念なことに、現在の従来の技法は、典型的には、ＤＬで受信された転送ブロック又はＲＬＣ  ＰＤＵを（あたかもＲＬＣ ＰＤＵがまったく受信されなかったものとして）単に廃棄するか又は優先度又はＱＯＳ又はＲＢタイプ（ＤＲＢであるか又はＳＲＢであるか）に基づいてＭＡＣ  ＳＤＵを選択的に廃棄することによって該シナリオに対処し、のちにＲＬＣレベルでの再送信に依存する。そのような従来の方法は、不良なユーザ経験、オーバー・ザ・エア帯域幅の非効率性と浪費及びＤＬ側における起こり得る超過の送信電力を引き起こす。
【００４８】
一実施形態においては、該課題は、ＮＷ側でフロー制御するために３０４ＵＥと基地局３０２との間で新たな追加のＭＡＣ制御要素３１０を定義することによって対処される。該革新は、追加のＭＡＣ制御要素３１０（例えば、ＭＡＣ  ＣＯＮＴＲＯＬ  ＰＤＵ）の可能な内容を定義すること及び追加のＭＡＣ制御要素３１０を受信した時点での可能なＮＷによる処理を同じく定義することができる。
【００４９】
主題の革新による追加のＭＡＣ制御要素３１０の様々な利点は次の通りである。すなわち、１）ＵＥ３０４が処理ＭＩＰＳ（ｐｒｏｃｅｓｓｉｎｇ  ＭＩＰＳ）を切らしそうであるときに有効であることができるようにＭＡＣ制御ＰＤＵを送信するために必要な処理が最小限である、２）追加のＭＡＣ制御要素３１０は、ＵＥ３０４がＤＬにおいて処理することが可能である最大転送ブロックサイズを示すことができ、それは、高優先度のデータがブロックされないことを保証することができる、３）基地局３０４（例えば、ＮＷ）がフロー制御を実装すべきであることを示すために既存のＭＡＣ制御ＰＤＣ３１２、例えば、電力ヘッドルームＣＥ、バッファ状態報告ＣＥ、等、の変更を提供することができる、４）ＤＬでのフロー制御が必要であることを基地局３０２に通信するための高速の手段及び必要な場合のフロー制御状態からの早期再開のサポート、５）ＵＥ３０４が選択的廃棄手法を実装する場合にＮＷによって認知された超過ＲＬＣパケット誤り又はＨＡＲＱパケット誤りに起因して基地局３０２がＤＬ送信の電力を増大させる結果になる可能性がある不要な電力制御アルゴリズムを実装する必要がない。
【００５０】
図６を参照し、追加のＭＡＣ制御要素フィールド６００の例が示される。この例では、追加のＭＡＣ制御要素は、推奨される又は低減されたデータレートを実装するための複数の異なるフィールドを含めることができる。ＭＡＣ制御要素フィールドは、次のフィールド、すなわち、新たなＵＥデータレートフィールド６１０、最大転送ブロックサイズフィールド６１５、相対的最大転送ブロックサイズフィールド６２０、フロー制御タイマ値フィールド６２５、フロー制御タイマ値の適用を制御するためのフロー制御ビットフィールド６３０、及びトランザクションＩＤビットフィールド６３５、を含むことができる。
【００５１】
追加のＭＡＣ制御要素フィールド６００は、下記を含むことができる。
【００５２】
１）基地局３０２からＵＥ３０４にデータを転送するための新たな推奨される又は低減されたデータレートを示すことができる新たなＵＥデータレートフィールド６１０。
【００５３】
２）ＵＥ３０４が基地局３０２からＤＬで受信することができる最大転送ブロックサイズを示すことができる最大転送ブロックサイズフィールド６１５。
【００５４】
３）相対的最大転送ブロックサイズ（例えば、０、１／２、１／４、１／８、１／１６、．．．、１）を示すことができる相対的最大転送ブロックサイズフィールド６２０。ここで、０は、基地局３０２からＵＥ３０４へＤＬでＳＲＢデータ及び／又はＶｏＩＰデータを送信するだけであることを意味し、ゼロ以外の値は、ＵＥ３０４がＵＥカテゴリに従ってサポートすることができる最大転送ブロックサイズの割合を示すことができ、１は、ＵＥ３０４は、該ＵＥがＵＥカテゴリに従ってサポートすることができる最大転送ブロックサイズを処理できるだけであることを示すことができる。
【００５５】
４）基地局３０２が、１）又は２）又は３）に対応するサイズよりも大きい新たな転送ブロックを送信すべきでない期間であるタイマ値を示すために用いることができる数え上げられるタイマ値（例えば、値１にマッピングされた１０ｍｓ、値２にマッピングされた２０ｍｓ、等）を提供することができるフロー制御タイマ値フィールド６２５（又は時間切れタイマ）。しかしながら、このフィールドが存在しないか又はその値が０に設定されている場合は、それは、基地局がＵＥ３０４から再開インジケータビット［以下の５）］を受信するまで１）又は２）又は３）であるべきことを示す。
【００５６】
５）フロー制御タイマ値の適用を制御するためのフロー制御ビットフィールド６３０（又は再開インジケータビット）。このビットは、基地局３０２における稼働中のタイマを停止させるために及びデフォルトのＵＥ３０４能力転送ブロック送信を用いてそれを再開させるために用いることができる。従って、このビットは、ＵＥ３０４が通常モードに戻っていてＵＥカテゴリに従って最大転送ブロックを受け入れる準備が整っていることを示すために用いることができる。しかしながら、再開インジケータビットが設定されていない場合は、これは、基地局３０２がその他のパラメータに基づいてＤＬでＦＣを行うべきであることを暗黙に示すことができる。再開インジケータビットの実装は、フロー制御ビット値のそれと反対であることが注目されるべきである。
【００５７】
６）トランザクションＩＤビットフィールド６３５は、任意選択ビット（複数を含む）であることができる。このビット（複数を含む）は、ソース側（例えば、ＵＥ３０４）からの高速再送（ｒｅｐｅａｔ）の場合に複製の制御メッセージを識別するためにピア側基地局３０２（例えば、ＮＷ）によって用いることができる。ＵＥ３０４は、追加のＭＡＣ制御要素（ＣＥ）３１０の高速再送のためにそれを同じに維持し、それが高速再送後に又はＭＡＣ  ＣＥの内容が変更された場合にＭＡＣ  ＣＥを再送信しなければならない場合のみにそれを変更することを期待することができる。
【００５８】
同様に、基地局３０２又はＮＷ側では、以下の処理を実装することができる。
【００５９】
１）フロー制御ビット６３０が設定されたＭＡＣ制御ＰＤＵを基地局３０２が受信するごとに、基地局３０２は、上記の代替策のうちのいずれかに従って新たな転送ブロックサイズを制限すべきである。
【００６０】
２）フロー制御ビット６３０（又は再開インジケータ）が設定された追加のＭＡＣ  ＣＥ３１０を基地局３０２が受信するごとに、基地局３０２は、タイマを始動させ（指示された場合）、１）に従って転送サイズを制限するのを継続すべきである。タイマが既に稼働中である場合は、基地局３０２は、タイマを再始動させる場合と再始動させない場合がある（仕様書において規定することができる事柄である）。
【００６１】
３）タイマが始動され、それが時間切れになった場合は、基地局３０２は、通常の送信を再開すべきである。
【００６２】
４）タイマが始動されなかった場合は、基地局３０２は、“再開インジケータ”６３０ビットが設定されるか又は相対的最大転送ブロックサイズ６２０が１に設定された追加のＭＡＣ  ＣＥ３１０をそれが受信したときに通常の送信を再開すべきである。
【００６３】
５）基地局３０２は、再開インジケータ”６３０が受信されるごとに又は１に設定された相対的最大転送ブロックサイズ６２０が受信されるごとにタイマを停止させて通常の送信を再開すべきである。
【００６４】
６）追加のＭＡＣ  ＣＥ３１０においてトランザクションｉｄビットフィールド６３５（存在する場合）が受信され、それが、基地局３０２にタイマを始動させるようにトリガしたものと同じである場合は（既に稼働中である場合）、追加のＭＡＣ  ＣＥ３１０は無視されるべきであり、そうでない場合は、これは、新たな追加のＭＡＣ  ＣＥ３１０であるとみなすことができ、（既に稼働中である場合は）タイマが再始動されるべきである。
【００６５】
（例えば、制御ＰＤＵとして実装された）追加のＭＡＣ制御要素３１０は周期的に送信可能であることが評価されるべきであり、フロー制御ビット６３０が１に設定されているときの制御要素の周期性は、それが０に設定されているときと異なることができることが評価されるべきである。該実装は、ＲＲＣシグナリングを通じてコンフィギュレーションすること又は規格において静的に定義することができる。（周期的なＭＡＣ  ＣＥ報告が存在しない場合の）タイマ手法の利点は、基地局３０２がフロー制御リセットインジケータを有するＭＡＣ  ＣＥ３１０を受信しなかった場合に基地局３０２がフロー制御状態で動かなくなってしまった状態からＵＥ３０４を助け出すことができることである。
【００６６】
代替実施形態においては、フロー制御は、既存のＭＡＣ制御要素３１２（例えば、ＭＡＣ制御ＰＤU）を変更することによって実装することができる。図７を参照し、ＭＡＣ制御要素３１２のために変更可能なＭＡＣ制御要素フィールド例７００が例示される。変更可能なＭＡＣ制御要素フィールドは、次のフィールド、すなわち、通常のフィールド７１０、新たな要求されるデータレートを示すための新たな要求されるデータレートフィールド７１２、最大転送ブロックサイズを示すための低減された最大転送ブロックサイズフィールド７２０、及び、基地局３０２によってＵＥ３０４に送信すべきデータのタイプを調整するためのデータタイプ調整フィールド７３０、を含むことができる。一実施形態においては、既存のＭＡＣ制御要素３１２は、電力ヘッドルーム（ｈｅａｄｒｏｏｍ）制御要素であることができる。
【００６７】
既存のＭＡＣ制御要素３１２を変更することによって、既存のＭＡＣ制御ＰＤＵのうちのいずれかを用いてフロー制御指示及び／又は再開を変更することができる。例えば、現在予約されている２ビットが存在する電力ヘッドルーム制御要素を変更することによって、ＦＣ指示を提供することができる。電力ヘッドルーム制御要素を用いる利点は、それがＵＥ３０４から周期的に送信されること及び既存のＭＡＣ  ＣＥ３１２がＦＣ指示を有する場合は、それは、ＵＥ３０４の状態を基地局３０２に連続的に示すことができることである。電力ヘッドルーム制御要素において利用可能な２ビットを定義するための１つの典型的な方法は、以下の形式であることができる。
【００６８】
・０ｂ００−ＵＥ状態が正常であり（フィールド７１０）、ＦＣトリガが不要である。
【００６９】
・０ｂ０１−ＵＥが、基地局が例えば１／２又は１／３又は１／４又は．．．だけ最大転送ブロックサイズを縮小させるのを希望する（フィールド７２０）（値は、０ｂ１０又は０ｂ１１に対応するそれと異ならなければならない）。
【００７０】
・０ｂ１０−ＵＥが、基地局が１／２又は１／３又は１／４又は．．．だけ最大転送ブロックサイズを縮小させるのを希望する（フィールド７２０）（値は、０ｂ０１又は０ｂ１１に対応するそれと異ならなければならない）。
【００７１】
・０ｂ１１−ＵＥが、基地局が１／２又は１／３又は１／４又は．．．だけ最大転送ブロックサイズを縮小させるのを希望する（フィールド７２０）（値は、０ｂ０１又は０ｂ１０に対応するそれと異ならなければならない）．．．又は、このフィールドは、基地局がＳＲＢデータ及び／又はＶｏＩＰデータのみを送信すべきでありその他のＤＲＢデータはまったく送信すべきでないことを基地局に示すことができる（フィールド７３０）。
【００７２】
さらなる実施形態は、上述される代替策の各々を向上させることができる。例えば、基地局３０２は、フロー制御ＭＡＣ  ＣＥ（３１０、３１２）を送信することができる時点及び／又は頻度に対する制限を設けることができる。例えば、基地局３０２は、単純なフロー制御禁止タイマを導入することができる。タイマは、ＵＥ３０４がフロー制御ＭＡＣ  ＣＥ（３１０、３１２）を送信するごとに、及びタイマが稼働中であってタイマが時間切れになるまでＵＥ３０４が基地局３０２に他のフロー制御ＭＡＣ  ＣＥを送信するのを許容されないときに始動させることができる（例えば、以下の例外の対象となる）。該タイマは、呼設定又はハンドオーバー中にＲＲＣによって設定することができ、又は、それは、超過のシグナリングを回避するために固定されたタイマとして規格内にハードコーディングすることができる。該タイマは、上述される２つの代替の任意選択肢、例えば、ＵＥ３０４がフロー制御ＭＡＣ  ＣＥを頻繁に送信するのを制限するための追加の仕組み、に適用することができる。これは、例えば、フロー制御ＭＡＣ  ＣＥで基地局３０２をスラッシュする（ｔｈｒｅｓｈ）ことによって、ＵＥ３０４がフロー制御を乱用するのを防止するために基地局３０２に制御を提供する。一例として、該タイマは、ＭＡＣ  ＣＥが送信されたときに基づいたＨＡＲＱ−ＡＣＫを受信次第で始動させることができる。
【００７３】
他の実施形態により、例外を有するフロー制御禁止タイマを提供することができる。前述されるフロー制御禁止タイマに加えて、基地局３０２は、禁止タイマが用いられたときのフロー制御の性能を向上させるための以下の例外を実装することもできる。
【００７４】
・フロー制御禁止タイマが稼働中に、ＭＡＣ  ＣＥ３１０が設定された“再開インジケータビット”（又は同様の情報）を含む場合にＵＥ３０４がフロー制御ＭＡＣ  ＣＥ３１０を送信するのを許容することができる。これは、基地局３０２がフロー制御禁止タイマの時間切れを待たずに素早く通常の送信を再開すること及びＵＥ３０４がＭＡＣ  ＣＥ３１０を送信することを可能にする。 “再開インジケータビット”を有するＭＡＣ  ＣＥ３１０の受信時点で基地局３０２がフロー制御タイマ（稼働中である場合）を停止させるのを期待することができる。
【００７５】
・フロー制御禁止タイマが稼働中に、新たなフロー制御ＭＡＣ  ＣＥ３１０が、最後の有効なフロー制御ＭＡＣ  ＣＥ３１０によって要求されたものよりも低い又は高いレベルまでデータレートを低下させるか又は上昇させるように基地局３０２に要求した場合にＵＥ３０４がフロー制御ＭＡＣ  ＣＥ３１０を送信するのを許容することができる。これは、ＵＥ３０４がフロー制御禁止タイマの時間切れを待たずにより低い又はより高いＤＬデータレートを要求するのを可能にする。さらに、これは、例えば、ＵＥ３０４が前のフロー制御ＭＡＣ  ＣＥ３１０で十分なレート低減を要求しなかった場合にそれは禁止タイマが時間切れになるのを待たずに素早くよりいっそうのデータレート低減を要求することが依然として可能であることが理由で有益である。
【００７６】
・このＭＡＣ  ＣＥ３１０が送信されたときに基づいたＨＡＲＱ失敗の受信時点で、ＵＥ３０４は、フロー制御ＭＡＣ  ＣＥ３１０を再送信するのを選択することができる。
【００７７】
さらなる実施形態により、選択的な廃棄も実装することができる。例えば、ＵＥ３０４をフロー制御する必要性が存在する場合は、ＵＥ  ＭＡＣ又はＲＬＣは、所定の論理チャネルで受信されたデータを選択的に廃棄することができる。該選択は、論理チャネル又は論理チャネルグループ又はＲＢタイプ（例えば、ＳＲＢ又はＤＲＢ）の優先度に基づいて行うことができる。さらに、ＲＢ内のＲＬＣパケットに関して、ＵＥ３０４は、アクティブキューマネージメント（Ａｃｔｉｖｅ  Ｑｕｅｕｅ  Ｍａｎａｇｅｍｅｎｔ）（アクティブ待ち行列管理）（ＡＱＭ）と同様の確率論的な方法でパケットを廃棄することができる。同様に、パケットの該廃棄がＲＢタイプに基づく場合は、ＳＲＢで受信された全データを処理することができ、他方、ＤＲＢデータはＭＡＣ又はＲＬＣレベルのいずれかで廃棄することができる。該態様の一利点は、ＤＬをフロー制御するために規格の変更が要求されないことである。
【００７８】
このように、この革新の実施形態は、ＵＥ３０４によって決定及び送信された低減された推奨されるデータレートの変更無線信号３０３に基づいて基地局３０２側（例えば、時々ネットワーク（ＮＷ）側又はｅＮＢ側と呼ばれる）で生じるフロー制御を提供するための仕組みを提供する。特に、ＤＬでのデータ送信のレートを低減させるように基地局３０２（例えば、ノードＢ、エボルブドノードＢ（ｅＮＢ）、等）に助言するフロー制御メッセージ３０８をＵＥ３０４から基地局３０２に送信することができる。一例として、フロー制御メッセージ３０８は、関連付けられたフロー制御メッセージ３０８が新たな推奨される（例えば、低減された）データレートを示すための新たな／追加のＭＡＣ制御要素３１０を導入することができるように追加のＭＡＣ制御要素３１０（例えば、ＭＡＣ  ＣＯＮＴＲＯＬ  ＰＤＵ）をＭＡＣ制御プロトコルの一部として含めることができる。他の例として、希望される推奨される（例えば、低減された）データレートを示すために既存のＭＡＣ制御要素３１２（例えば、ＭＡＣ  ＣＯＮＴＲＯＬ  ＰＤＵ）を変更することができる。従って、ＵＥ３０４における混雑を特定することができ、該混雑に関してＵＥ３０４から基地局３０２にメッセージを送信することができる。それによってデータレート変更／低減レートが基地局３０２に提案される。ＵＥ３０４は、ＤＬを介して基地局３０２から低減されたレートでデータを受信することができる。
【００７９】
この革新は、ＵＥ３０４がマルチメディア及び同時並行して実行する多くの異なるアプリケーション（例えば、電子メール、映像、音声、ウェブブラウジング、等）をサポートするため有益である。各アプリケーションは、一定量のリソース（例えば、処理電力、バッファ、バッテリ電力、等）をＵＥ３０４に要求する。瞬間的なリソースの総量は、経時で動的に変化する。しかしながら、ＵＥ３０４のコストを合理的であるように維持するために、ＵＥは、一般的な負荷よりも有意に大きくなることがあるピークの瞬間的なリソース要求ではなく最も一般的な負荷状態を処理するように典型的に設計される。定義上のピークの瞬間的リソース要求は、ＭＢＭＳを受信する、ピークのＵＬレートで送信する、ピークのＤＬレートで受信する、プロセッサ集約的なユーザアプリケーションを実行する、等のために同時に必要になるリソースを含むべきであり、ただし、これらのリソースに限定されないことが評価されるべきである。従って、ＵＥ３０４は、幾つかの難しいシナリオ中には低リソース状態で動作せざるを得ないことがある。以下は、幾つかのすべではない例である。
【００８０】
・ＵＥが、ｆｔｐを用いてファイルをダウンロードしている間にＭＢＭＳサービスを受ける。
【００８１】
・アプリケーションが十分に高速でＤＬパケットを消費することができず、このため、ＵＥ内のＤＬバッファが蓄積し続ける。
【００８２】
・アプリケーションプロセッサがプロセッサからのＤＬパケットを十分に高速で消費することができず、このため、それらの間でのバッファが蓄積し続ける。
【００８３】
・ピークレートでの同時並行した送信及び受信、例えば、ＵＬピークレートで送信する間にＤＬピークレートで受信。
【００８４】
・複数のユーザアプリケーションがＵＥ内でリソース（ＭＩＰＳ、データバス、等）を求めて競合する。
【００８５】
残念なことに、これらの例では、ＵＥは、それが処理できないパケットの廃棄を開始することができる。例は、以下を含むことができる。
【００８６】
・ＵＥは、それが処理できないＤＬパケットを廃棄し続ける。
【００８７】
・基地局は、ＵＥにおいて最終的に廃棄されることになるパケットを送信及び再送信し続ける。無線リソースが浪費される。
【００８８】
・パケットがＵＥにおいてＭＡＣ層で廃棄される場合は、基地局は、ＲＬＣでそれらのパケットを再送信し続ける。再送信されたＲＬＣパケットもＵＥにおいて同様に廃棄されるため、基地局は、ＲＬＣ内に問題が存在すると断定し、基地局内ハンドオーバーをトリガすることができ、それがサービスの中断を生じさせる。
【００８９】
・ＴＣＰが時間切れになり、ＴＣＰウィンドウが壊れ、ＴＣＰの低速始動が生じる。
【００９０】
・ＴＣＰが回復を試行中である間により高い層のアプリケーションが時間切れになる可能性がある
・ユーザは、（図８乃至１０で提供されるシミュレーション結果において示されるように）ＴＣＰ混雑制御に起因する非常に遅い〜不通の無線リンク及びスループットの大きな振れを経験する
・これらの低リソースイベントはランダムでかつ偶発的であり、予め知っていることができず、さらにＴＣＰが反応するのに時間がかかるため、ユーザは、非常に低い平均スループット及びパケットの過度の遅延を経験することになる。
【００９１】
しかしながら、主題の革新のフロー制御実施形態が実装される場合は、ＵＥ３０４は、ＵＥ３０４において生じている混雑及びＵＥ３０４によって実装することができる新たな推奨される低減されたデータレートを基地局３０２に知らせることができる。これに基づき、基地局３０２は、ＴＣＰ時間切れを回避するためにＤＬトラフィック（例えば、ＧＢＲでない高レートのトラフィック）を適切に変調すること、トラフィックが滞りなく、ただし低減されたレートで、流れるのを維持すること、及びＴＣＰが引き下げられたレートに合わせて適切に調整するための時間を提供することができる。さらに、（例えば、ＵＥ３０４がパケットを単にランダムに廃棄するのとは正反対に）何らかの時間後に状態が改善しない場合は基地局３０２におけるアクティブキューマネージメント（ＡＱＭ）を起動させることができる。
【００９２】
従って、主題の革新のフロー制御実施形態を利用することで、概して、無線リソースが浪費されないようにすることができ、ユーザは、低減された、ただしはるかに滞りのない、スループットを経験することができる。さらに、主題の革新のＤＬフロー制御は、次の利益をもたらす。すなわち、ＵＥ３０４の実装に関する柔軟性及びそれによるコスト低減（例えば、ＵＥ３０４は、“多重化利得”を達成するためにアプリケーション間で幾つかのリソースを共有することが可能である）。ネットワークはＵＥ３０４が消費できるよりも多い帯域幅をそれに割り当てるべきでなく、それが無線リソースの効率を向上させることを理由とするより良い“優れた”スループット。ＤＬパケットを一時的に変調することが状況を改善させない場合は基地局３０２がＡＱＭをトリガするのを許容することができる。ＵＥ３０４は、一定の過負荷シナリオ下で保護することができる。ＵＥ３０４の寸法を過度に大きくすることなしにＵＥ３０４が高いピークデータレート対平均データレート比に対処するための効率的な手段を提供することができる。より短いＵＥ応答時間に起因するより良いユーザ経験（例えば、ユーザアプリケーションがより高速に起動する）、及び、アプリケーションが起動中に、ＵＥ３０４は、ベストエフォートのフローを一時的に低減させるためにフロー制御を起動させることができる。
【００９３】
さらに、乱用を回避するために主題の革新によるフロー制御の様々な態様を以下の典型的な手順で実装することができる。すなわち、フロー制御は、必要に応じて起動させることができ、フロー制御は、ＵＥ３０４が現実的に持続することができないデータレートのサポートを要求することを目的としてＵＥ３０４によって用いることはできず、フロー制御は、ＵＥ３０４の瞬間的な及び一時的なリソース欠乏から救うために用いることができる。
【００９４】
一実施形態においては、前述されるフロー制御の仕組みは、リソースが少なくなったときのＵＥ３０４の即座の救済のために数十ミリ秒（ｍｓ）のオーダーで実装することができる。前述されるように、ＵＥ３０４は、ＵＥ能力（ＵＥ  ｃａｐａｂｉｌｉｔｙ）において示される最大転送ブロック（ＴＢ）サイズの一部としてＵＥ３０４がサポートすることができる最大ＴＢサイズを示すための追加のＭＡＣ制御要素３１０（例えば、ＭＡＣフロー制御ＰＤＵ）を送信することができる。例えば、ＵＥ３０４は、ＴＢサイズ率、例えばＵＥ３０４が典型的には（０．２×ＵＥ能力によって示される最大ＴＢサイズ）よりも大きくないＴＢサイズしかサポートできないことを示す０．２、を示すことができる。１つの特定の例として、ＴＢサイズ率０は、ＵＥが非ＧＢＲ  ＤＲＢからのトラフィックは処理できないがＳＲＢからのトラフィックは依然として処理できることを示すことができる。
【００９５】
特に、一実施形態においては、追加のＭＡＣ制御要素３１０は、以下のようなＭＡＣ仕様の変更によって実装することができる。
【表１】
2014195272.tif 000003
【表２】
2014195272.tif 000004
【００９６】
この例では、追加のＭＡＣ制御要素３１０は、表１“ＵＬ−ＳＣＨ［アップリンク共有チャネル］のためのＬＣＩＤ［ローカル識別子］の値”において示されるように実装され、例えば、太字のインデックス１１００１及び太字のＬＣＩＤ値：“予約”部及び“ＴＢ＿Ｓｉｚｅ＿Ｆａｃｔｏｒ”部を有する“フロー制御要求”。表２は、ＴＢサイズ率の値及びそれらの対応するインデックスを示す。この追加のＭＡＣ制御要素３１０のためのトリガは、依存した形で実装される。この例では、基地局３０２がこの追加のＭＡＣ制御要素３１０を受信したときには、基地局３０２は、ＤＬトラフィック及び指定された論理チャネルを低減させることができる。例えば、基地局３０２は、ベストエフォートタイプ（非ＧＢＲ）のＤＬトラフィックを低減させるのを選択することができる。これは、ＱｏＳモデル（ＱｏＳ ｍｏｄｅｌ）を維持するために用いることができ、基地局３０２は、個々の論理チャネルに関するＱｏＳを制御する。
【００９７】
この実装技法は、数多くの利点を含む。例えば、この技法を実装するために重要でない機能のみが必要である。すなわち、ＬＣＩＤ値が予約され、追加のＭＡＣ制御要素３１０が定義され、追加のＭＡＣ制御要素のためのＳＲトリガが定義される。いずれにせよ基地局３０２スケジューラがＴＢサイズについて判断する必要があるため、基地局３０２は、ＵＥ３０４が示すあらゆることにＴＢサイズを制限するための１つ以上のステップを実装する必要があるだけであり、従って、基地局によって要求される変更又は複雑さはほとんどまったく存在しない。
【００９８】
さらに、ＵＥ３０４によるフロー制御のこの技法は、ＵＥ３０４が追加のＭＡＣ制御要素３１０において必要となるデータレート低減を特に示すことができるため微細な粒度（ｇｒａｎｕｌａｒｉｔｙ）を提供する。この微細な粒度は、ＴＣＰの性能を向上させるのに役立つはずである。さらに、ＵＥ３０４は、必要なときに追加のＭＡＣ制御要素３１０を単に送信するだけであるため、最小限のオーバーヘッドが要求される。さらに、基地局３０２は、無線ベアラがＤＬデータレート（ＲＬＣ−ＡＭフロー、ＲＬＣ−ＵＭフロー、ＭＢＭＳ、等を含むが、ＲＬＣ−ＡＭフロー、ＲＬＣ−ＵＭフロー、ＭＢＭＳ、等に限定されない）を低減させることに対する制御を有し、ＱｏＳは、基地局３０２によって完全に制御することができる。さらに、基地局３０２は、ＲＬＣの新送信及び再送信の両方を低減させることができ、従って、手順の多くは基地局３０２によって既に実装されているため標準化のために実質上ほとんど努力を必要としない。
【００９９】
前述されるフロー制御方法の利点を例示するために様々なシミュレーション結果が以降において説明される。図８を参照し、図８は、フロー制御方法を利用するＴＣＰスループットへの影響を示したチャート８００を例示する。ｙ軸は、スループットをＫｂｐｓで表し、ｘ軸は、時間を秒で表す。簡単な比較を目的としてフロー制御を用いる場合と用いない場合における様々な性能メトリックが図８に示される。特に、線８１０は、前述されるフロー制御方法を用いない場合のスループットを示し、線８２０は、前述されるフロー制御方法を利用するスループットを示す。図８においてわかるように、時間１．０秒から２００ｍｓの混雑が生じる。図８は、フロー制御がない状態で（線８１０）、ＴＣＰが時間切れになり、スループットがゆっくりと回復する低速始動段階に入る。しかしながら、フロー制御方法を利用した場合は、線８２０によって示されるように、ＴＣＰスループットは、短時間しか低下されず、混雑が終わった時点で、スループットは素早くそれの通常レベルに戻り、ＴＣＰは時間切れにならない。
【０１００】
図９を参照し、図９は、混雑期間中における回復時間の観察ウィンドウ全体における平均が求められた平均ＴＣＰスループットを例示するチャート９００である。この回復時間中には、図９において示されるように、線９１０によって示されるフロー制御なしの“廃棄比率”（“ｐｅｒｃｅｎｔａｇｅ  ｄｒｏｐ）”は大きく変動し、他方、線９２０によって示されるフロー制御を有する“廃棄比率”は、それよりも有意に小さく変動する。
【０１０１】
図１０を参照し、図１０は、０．２秒の混雑期間にわたる浪費された帯域幅を例示したチャート１０００である。ｙ軸は、レートをＫｂｐｓで表し、ｘ軸は、廃棄確率を表す。特に、図１０は、混雑中の非効率的なオーバー・ザ・エア帯域幅と廃棄確率の関係を例示する。わかるように、フロー制御なしの線１０１０は、大幅に増大している浪費された非効率的なオーバー・ザ・エア帯域幅を示し、他方、フロー制御を用いた線１０２０は、示さない。
【０１０２】
一構成においては、前述されるように、無線通信システム３００において動作可能なＵＥ３０４は、一データレートで基地局３０２からデータを受信するための手段と、混雑を特定するための手段と、推奨されるデータレートの変更無線信号３０８を基地局３０２に送信するための手段と、推奨されるデータレートで基地局からデータを受信するための手段と、を含むことができる。一態様においては、上記の手段は、上記の手段によって示される（ｒｅｃｉｔｅ）機能を実行するように構成された、本発明が常駐するＵＥ２５０、３０４のプロセッサ（複数を含む）（２３８、２６０、及び２７０）及び基地局２１０、３０２のプロセッサ（複数を含む）（２２０、２３０、及び２４２）であることができる（図２及び３）。さらに、ＵＥ２５０、３０４及び基地局２１０、３０２は、前述される機能を実行するための前述される手段をすべて実行するために用いることができる。他の態様においては、上記の手段は、上記の手段によって示される機能を実行するように構成されたモジュール又はあらゆる装置であることができる。
【０１０３】
様々な態様がユーザ端末、ユーザデバイス、ユーザ装置（ＵＥ）、等と関係させてここにおいて説明され、それらの用語はすべて互換的に使用可能であることが注目される。ユーザ装置は、システム、加入者ユニット、加入者局、移動局、モバイルデバイス、遠隔局、遠隔端末、アクセス端末、ユーザ端末、ユーザエージェント、等と呼ばれることもある。ユーザ装置は、携帯電話、コードレス電話、セッション開始プロトコル（ＳＩＰ）フォン、ワイヤレスローカルループ（ＷＬＬ）局、ＰＤＡ、無線接続能力を有するハンドヘルドデバイス、端末内のモジュール、ホストデバイス（例えば、ＰＣＭＣＩＡカード）に取り付けること又はホストデバイス（例えば、ＰＣＭＣＩＡカード）内に一体化することが可能なカード（例えば、ＰＣＭＣＩＡカード）又は無線モデムに接続されたその他の処理デバイスであることができる。
【０１０４】
開示されたプロセス内のステップの特定の順序又は階層は、典型的な手法の一例であることを当業者は理解すべきである。設計上の優先度に基づき、プロセス内のステップの特定の順序又は階層は、本開示の適用範囲内にとどまりつつ再編することができる。添付される方法請求項は、様々なステップの要素を見本の順序で提示したものであり、提示された特定の順序又は階層に限定されることは意味しない。
【０１０５】
さらに、当業者は、情報及び信号は様々な異なる技術及び技法のうちのいずれかを用いて表すことができることを理解すべきである。例えば、上記の説明全体を通じて参照されることがあるデータ、命令、コマンド、情報、信号、ビット、シンボル、及びチップは、電圧、電流、電磁波、磁場、磁粒子、光学場、光学粒子、又はそれらのあらゆる組合せによって表すことができる。
【０１０６】
ここにおいて開示される実施形態と関係させて説明される様々な例示的な論理ブロック、モジュール、回路、及びアルゴリズム上のステップは、電子ハードウェア、コンピュータソフトウェア、又は両方の組み合わせとして実装可能であることを当業者はさらに評価すべきである。ハードウェアとソフトウェアのこの互換性を明確に例示するため、上記においては、様々な例示的なコンポーネント、ブロック、モジュール、回路、及びステップが、それらの機能の観点で一般的に説明されている。該機能がハードウェアとして又はソフトウェアとして実装されるかは、全体的システムに対する特定の用途上の及び設計上の制約事項に依存する。当業者は、説明されている機能を各々の特定の用途に合わせて様々な形で実装することができるが、該実装決定は、本開示の適用範囲からの逸脱を生じさせるものであるとは解釈されるべきではない。  
ここにおいて開示される実施形態と関係させて説明される様々な例示的な論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）又はその他のプログラマブル論理デバイス、ディスクリートゲートロジック、ディスクリートトランジスタロジック、ディスクリートハードウェアコンポーネント、又はそれらのあらゆる組合せ、を用いて実装又は実行することができる。汎用プロセッサは、マイクロプロセッサであることができるが、代替においては、プロセッサは、従来のどのようなプロセッサ、コントローラ、マイクロコントローラ、又はステートマシンであってもよい。プロセッサは、計算デバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はその他のあらゆる該構成との組合せ、として実装することもできる。
【０１０７】
ここにおいて開示される実施形態と関係させて説明される方法又はアルゴリズムのステップは、直接ハードウェア内において、プロセッサによって実行されるソフトウェアモジュール内において、又はこれらの２つの組み合わせ内において具現化することが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は当業において既知であるその他のあらゆる形態の記憶媒体に常駐することができる。典型的な記憶媒体は、プロセッサに結合され、このため、プロセッサは、記憶媒体から情報を読み出すこと及び記憶媒体に情報を書き込むことができる。代替においては、記憶媒体は、プロセッサと一体化させることができる。プロセッサ及び記憶媒体は、ＡＳＩＣ内に常駐することができる。ＡＳＩＣは、ユーザ端末に常駐することができる。代替においては、プロセッサ及び記憶媒体は、ユーザ端末内において個別のコンポーネントとして常駐することができる。
【０１０８】
さらに、請求される主題の態様は、請求される主題の様々な態様を実装するためにコンピュータ又は計算コンポーネントを制御するためのソフトウェア、ファームウェア、ハードウェア、又はそれらのあらゆる組み合わせを作り出すための標準的なプログラミング及び／又はエンジニアリング技法を用いて方法、装置、又は製造品として実装することができる。ここにおいて用いられる場合における用語“製造品”は、あらゆるコンピュータによって読み取り可能なデバイス、キャリア、又は媒体からアクセス可能なコンピュータプログラムを包含することが意図される。例えば、コンピュータによって読み取り可能な媒体は、磁気記憶装置（例えば、ハードディスク、フロッピー（登録商標）ディスク、磁気ストリップ）と、光学ディスク（例えば、コンパクトディスク（ＣＤ）、デジタルバーサタイルディスク（ＤＶＤ））と、スマートカードと、フラッシュメモリデバイス（例えば、カード、スティック、キードライブ）と、を含むことができ、ただし、磁気記憶装置（例えば、ハードディスク、フロッピーディスク、磁気ストリップ）、光学ディスク（例えば、コンパクトディスク（ＣＤ）、デジタルバーサタイルディスク（ＤＶＤ））、スマートカード、フラッシュメモリデバイス（例えば、カード、スティック、キードライブ）に限定されない。さらに、コンピュータによって読み取り可能な電子データ、例えば、音声メールを送信及び受信する際に又はセルラーネットワーク等のネットワークにアクセスする際に用いられるそれら、を搬送するために搬送波を採用可能であることが評価されるべきである。当然のことであるが、当業者は、ここにおいて説明されることの適用範囲又は精神から逸脱することなしにこのコンフィギュレーションに対して数多くの変更を行うことができることを認識するであろう。
【０１０９】
上述されていることは、１つ以上の実施形態の例を含む。当然のことであるが、上記の実施形態を説明することを目的としてコンポーネント又は方法のあらゆる考えられる組み合わせを説明することは可能ではないが、様々な実施形態の数多くのさらなる組み合わせ及び置換が可能であることを当業者は認識することができる。従って、説明される実施形態は、添付された請求項の精神及び適用範囲内にあるあらゆる該変更、修正及び変形を包含することが意図される。さらに、表現“含む”は、詳細な発明を実施するための形態又は請求項において用いられる限りにおいて、“備える”という表現が請求項において移行語として採用されたときの解釈と同様の包含性を有することが意図される。
【０１１０】
開示された実施形態に関する前の説明は、当業者が本開示を製造又は使用することを可能にするために提供される。これらの実施形態に対する様々な変更は、当業者にとって容易に明確になるであろう、及びここにおいて定められる一般原理は、本開示の精神又は適用範囲を逸脱せずにその他の実施形態に対しても適用することができる。以上のように、本開示は、ここにおいて示される実施形態に限定されることは意図されず、ここにおいて開示される原理及び新規の特徴に一致する限りにおいて最も広範な適用範囲が認められるべきである。
【０１１１】
さらに、請求項は、ここにおいて示される態様に限定されることは意図されず、請求項の文言に一致する限りにおいて完全な適用範囲が認められるべきであり、単数形の要素への言及は、その旨が特記されない限り“１つ及び１つのみ”を意味することは意図されず、むしろ“１つ以上”であることを意味することが意図される。別段特記されない限り、語句“幾つか”は、１つ以上を意味する。項目又は品目の集まり“のうちの少なくとも１つ”という語句は、それらの項目又は品目のあらゆる組み合わせに言及し、単一の構成項目又は構成品目を含む。一例として、“ａ、ｂ、又はｃのうちの少なくとも１つ”は、ａ；ｂ；ｃ；、ａ及びｂ；ａ及びｃ；ｂ及びｃ；及びａ、ｂ及びｃを網羅することが意図される。
【図１】
2014195272.tif 000005
【図２】
2014195272.tif 000006
【図３】
2014195272.tif 000007
【図４】
2014195272.tif 000008
【図５】
2014195272.tif 000009
【図６】
2014195272.tif 000010
【図７】
2014195272.tif 000011
【図８】
2014195272.tif 000012
【図９】
2014195272.tif 000013
【図１０】
2014195272.tif 000014
【手続補正書】
【提出日】平成26年6月6日(2014.6.6)
【手続補正１】
【補正対象書類名】特許請求の範囲
【補正対象項目名】全文
【補正方法】変更
【補正の内容】
【特許請求の範囲】
【請求項１】
無線通信システムにおいて動作可能なユーザ通信装置であって、
一データレートで基地局からデータを受信し、
前記ユーザ通信装置における混雑を特定し、
前記基地局に推奨されるデータレートの変更無線信号を送信し、及び
前記推奨されるデータレートで前記基地局からデータを受信するための命令を保持するメモリと、
前記命令を実行するプロセッサと、を備える、ユーザ通信装置。
【手続補正書】
【提出日】平成26年8月26日(2014.8.26)
【手続補正１】
【補正対象書類名】特許請求の範囲
【補正対象項目名】全文
【補正方法】変更
【補正の内容】
【特許請求の範囲】
【請求項１】
無線通信システムにおいて動作可能なユーザ通信装置であって、
データレートで基地局からデータを受信し、
前記ユーザ通信装置における混雑を特定し、
推奨されるデータレートを示すために、無線信号としてのＭＡＣ制御要素を前記基地局に送信し、ここにおいて、前記ＭＡＣ制御要素は、フロー制御タイマ値を示すための第１フィールドと前記フロー制御タイマ値のアプリケーションを制御するための第２フィールドを備え、及び
前記推奨されるデータレートで前記基地局からデータを受信する、ための命令を保持するメモリと、
前記命令を実行するプロセッサと、を備える、ユーザ通信装置。
【請求項２】
前記ＭＡＣ制御要素は、前記基地局に送信されるＭＡＣ制御要素のセットにくわえられる、請求項１に記載のユーザ通信装置。
【請求項３】
前記追加のＭＡＣ制御要素は、新たな要求されるデータレートを示すためのフィールドを備える請求項２に記載のユーザ通信装置。
【請求項４】
前記追加のＭＡＣ制御要素は、最大転送ブロックサイズを示すためのフィールドを備える請求項２に記載のユーザ通信装置。
【請求項５】
前記追加のＭＡＣ制御要素は、相対的最大転送ブロックサイズを示すためのフィールドを備える請求項２に記載のユーザ通信装置。
【請求項６】
前記メモリは、前記推奨されるデータレートを示すために既存のＭＡＣ制御要素を変更するための命令をさらに保持する請求項１に記載のユーザ通信装置。
【請求項７】
前記既存のＭＡＣ制御要素は、新たな要求されるデータレートを示すためのフィールドを備える請求項６に記載のユーザ通信装置。
【請求項８】
前記既存のＭＡＣ制御要素は、縮小された最大転送ブロックサイズを示すためのフィールドを備える請求項６に記載のユーザ通信装置。
【請求項９】
前記既存のＭＡＣ制御要素は、前記基地局によって前記ユーザ通信装置に送信されるデータのタイプを調整するためのフィールドを備える請求項６に記載のユーザ通信装置。
【請求項１０】
前記既存のＭＡＣ制御要素は、電力ヘッドルーム制御要素を備える請求項６に記載のユーザ通信装置。
【請求項１１】
無線通信方法であって、
データレートで基地局からデータを受信することと、
ユーザ通信装置における混雑を特定することと、
推奨されるデータレートを示すために、無線信号としてのＭＡＣ制御要素を前記基地局に送信し、ここにおいて、前記ＭＡＣ制御要素は、フロー制御タイマ値を示すための第１フィールドと前記フロー制御タイマ値のアプリケーションを制御するための第２フィールドを備え、
前記推奨されるデータレートで前記基地局からデータを受信することと、を備える、無線通信方法。
【請求項１２】
前記ＭＡＣ制御要素は、前記基地局に送信されるＭＡＣ制御要素のセットにくわえられる、請求項１１に記載の方法。
【請求項１３】
前記追加のＭＡＣ制御要素は、新たな要求されるデータレートを示すためのフィールドを備える請求項１２に記載の方法。
【請求項１４】
前記追加のＭＡＣ制御要素は、最大転送ブロックサイズを示すためのフィールドを備える請求項１２に記載の方法。
【請求項１５】
前記追加のＭＡＣ制御要素は、相対的最大転送ブロックサイズを示すためのフィールドを備える請求項１２に記載の方法。
【請求項１６】
前記メモリは、前記推奨されるデータレートを示すために既存のＭＡＣ制御要素を変更するための命令をさらに保持する請求項１１に記載の方法。
【請求項１７】
前記既存のＭＡＣ制御要素は、新たな要求されるデータレートを示すためのフィールドを備える請求項１６に記載の方法。
【請求項１８】
前記既存のＭＡＣ制御要素は、縮小された最大転送ブロックサイズを示すためのフィールドを備える請求項１６に記載の方法。
【請求項１９】
前記既存のＭＡＣ制御要素は、前記基地局によって前記ユーザ通信装置に送信されるデータのタイプを調整するためのフィールドを備える請求項１６に記載の方法。
【請求項２０】
前記既存のＭＡＣ制御要素は、電力ヘッドルーム制御要素を備える請求項１６に記載の方法。
【請求項２１】
無線通信システムにおいて動作可能な装置であって、
データレートで基地局からデータを受信するための手段と、
ユーザ通信装置における混雑を特定するための手段と、
推奨されるデータレートを示すために、無線信号としてのＭＡＣ制御要素を前記基地局に送信するための手段と、ここにおいて、前記ＭＡＣ制御要素は、フロー制御タイマ値を示すための第１フィールドと前記フロー制御タイマ値のアプリケーションを制御するための第２フィールドを備え、
前記推奨されるデータレートで前記基地局からデータを受信するための手段と、を備える、装置。
【請求項２２】
前記ＭＡＣ制御要素は、前記基地局に送信されるＭＡＣ制御要素のセットにくわえられる、請求項２１に記載の装置。
【請求項２３】
前記追加のＭＡＣ制御要素は、
新たな要求されるデータレートを示すためのフィールドと、
最大転送ブロックサイズを示すためのフィールドと、
相対的最大転送ブロックサイズを示すためのフィールドと、
のうちの少なくとも１つを備える、請求項２２に記載の装置。
【請求項２４】
前記推奨されるデータレートを示すために既存のＭＡＣ制御要素を変更するための手段をさらに備える請求項２１に記載の装置。
【請求項２５】
前記既存のＭＡＣ制御要素は、
新たな要求されるデータレートを示すためのフィールドと、
縮小された最大転送ブロックサイズを示すためのフィールドと、
前記基地局によって前記ユーザ通信装置に送信されるデータの前記タイプを調整するためのフィールド、及び
電力ヘッドルーム制御要素と、
のうちの少なくとも１つを備える、請求項２４に記載の装置。
【請求項２６】
コンピュータプログラムであって、
データレートで基地局からデータを受信することと、
ユーザ通信装置における混雑を特定することと、
推奨されるデータレートを示すために、無線信号としてのＭＡＣ制御要素を前記基地局に送信することと、ここにおいて、前記ＭＡＣ制御要素は、フロー制御タイマ値を示すための第１フィールドと前記フロー制御タイマ値のアプリケーションを制御するための第２フィールドを備え、
を少なくとも１つのコンピュータに行わせるための符号を備える、コンピュータプログラム。
【請求項２７】
前記ＭＡＣ制御要素は、前記基地局に送信されるＭＡＣ制御要素のセットにくわえられる、請求項２６に記載のコンピュータプログラム。
【請求項２８】
前記追加のＭＡＣ制御要素は、
新たな要求されるデータレートを示すためのフィールドと、
最大転送ブロックサイズを示すためのフィールドと、
相対的最大転送ブロックサイズを示すためのフィールドと、
のうちの少なくとも１つを備える、請求項２７に記載のコンピュータプログラム。
【請求項２９】
前記推奨されるデータレートを示すために既存のＭＡＣ制御要素を変更するための送信することを少なくとも１つのコンピュータに行わせるための符号をさらに備える、請求項２６に記載のコンピュータプログラム。
【請求項３０】
前記既存のＭＡＣ制御要素は、
新たな要求されるデータレートを示すためのフィールドと、
縮小された最大転送ブロックサイズを示すためのフィールドと、
前記基地局によって前記ユーザ通信装置に送信されるデータの前記タイプを調整するためのフィールド、及び
電力ヘッドルーム制御要素と、
のうちの少なくとも１つを備える、請求項２９に記載のコンピュータプログラム。
【手続補正２】
【補正対象書類名】明細書
【補正対象項目名】０１１１
【補正方法】変更
【補正の内容】
【０１１１】
さらに、請求項は、ここにおいて示される態様に限定されることは意図されず、請求項の文言に一致する限りにおいて完全な適用範囲が認められるべきであり、単数形の要素への言及は、その旨が特記されない限り“１つ及び１つのみ”を意味することは意図されず、むしろ“１つ以上”であることを意味することが意図される。別段特記されない限り、語句“幾つか”は、１つ以上を意味する。項目又は品目の集まり“のうちの少なくとも１つ”という語句は、それらの項目又は品目のあらゆる組み合わせに言及し、単一の構成項目又は構成品目を含む。一例として、“ａ、ｂ、又はｃのうちの少なくとも１つ”は、ａ；ｂ；ｃ；、ａ及びｂ；ａ及びｃ；ｂ及びｃ；及びａ、ｂ及びｃを網羅することが意図される。
以下に、本願出願の当初の特許請求の範囲に記載された発明を付記する。
[Ｃ１]
無線通信システムにおいて動作可能なユーザ通信装置であって、
一データレートで基地局からデータを受信し、
前記ユーザ通信装置における混雑を特定し、
前記基地局に推奨されるデータレートの変更無線信号を送信し、及び
前記推奨されるデータレートで前記基地局からデータを受信するための命令を保持するメモリと、
前記命令を実行するプロセッサと、を備える、ユーザ通信装置。
[Ｃ２]
前記メモリは、前記推奨されるデータレートを示すための追加のＭＡＣ制御要素を組み入れるための命令をさらに保持するＣ１に記載のユーザ通信装置。
[Ｃ３]
前記追加のＭＡＣ制御要素は、新たな要求されるデータレートを示すためのフィールドを備えるＣ２に記載のユーザ通信装置。
[Ｃ４]
前記追加のＭＡＣ制御要素は、最大転送ブロックサイズを示すためのフィールドを備えるＣ２に記載のユーザ通信装置。
[Ｃ５]
前記追加のＭＡＣ制御要素は、相対的最大転送ブロックサイズを示すためのフィールドを備えるＣ２に記載のユーザ通信装置。
[Ｃ６]
前記追加のＭＡＣ制御要素は、フロー制御タイマ値を示すためのフィールドを備えるＣ２に記載のユーザ通信装置。
[Ｃ７]
前記追加のＭＡＣ制御要素は、前記フロー制御タイマ値の適用を制御するフロー制御ビットを示すためのフィールドを備えるＣ６に記載のユーザ通信装置。
[Ｃ８]
前記メモリは、前記推奨されるデータレートを示すために既存のＭＡＣ制御要素を変更するための命令をさらに保持するＣ１に記載のユーザ通信装置。
[Ｃ９]
前記既存のＭＡＣ制御要素は、新たな要求されるデータレートを示すためのフィールドを備えるＣ８に記載のユーザ通信装置。
[Ｃ１０]
前記既存のＭＡＣ制御要素は、縮小された最大転送ブロックサイズを示すためのフィールドを備えるＣ８に記載のユーザ通信装置。
[Ｃ１１]
前記既存のＭＡＣ制御要素は、前記基地局によって前記ユーザ通信装置に送信されるデータのタイプを調整するためのフィールドを備えるＣ８に記載のユーザ通信装置。
[Ｃ１２]
前記既存のＭＡＣ制御要素は、前記電力ヘッドルーム制御要素であるＣ８に記載のユーザ通信装置。
[Ｃ１３]
一データレートで基地局からデータを受信することと、
ユーザ通信装置における混雑を特定することと、
前記基地局に推奨されるデータレートの変更無線信号を送信することと、
前記推奨されるデータレートで前記基地局からデータを受信することと、を備える、無線通信方法。
[Ｃ１４]
前記推奨されるデータレートを示すために前記基地局に追加のＭＡＣ制御要素を送信することをさらに備えるＣ１３に記載の方法。
[Ｃ１５]
前記追加のＭＡＣ制御要素は、新たな要求されるデータレートを示すためのフィールドを備えるＣ１４に記載の方法。
[Ｃ１６]
前記追加のＭＡＣ制御要素は、最大転送ブロックサイズを示すためのフィールドを備えるＣ１４に記載の方法。
[Ｃ１７]
前記追加のＭＡＣ制御要素は、相対的最大転送ブロックサイズを示すためのフィールドを備えるＣ１４に記載の方法。
[Ｃ１８]
前記追加のＭＡＣ制御要素は、フロー制御タイマ値を示すためのフィールドを備えるＣ１４に記載の方法。
[Ｃ１９]
前記追加のＭＡＣ制御要素は、前記フロー制御タイマ値の適用を制御するフロー制御ビットを示すためのフィールドを備えるＣ１８に記載の方法。
[Ｃ２０]
前記推奨されるデータレートを示すために既存のＭＡＣ制御要素を変更することと前記基地局に前記変更されたＭＡＣ制御要素を送信することとをさらに備えるＣ１３に記載の方法。
[Ｃ２１]
前記既存のＭＡＣ制御要素は、新たな要求されるデータレートを示すためのフィールドを備えるＣ２０に記載の方法。
[Ｃ２２]
前記既存のＭＡＣ制御要素は、縮小された最大転送ブロックサイズを示すためのフィールドを備えるＣ２０に記載の方法。
[Ｃ２３]
前記既存のＭＡＣ制御要素は、前記基地局によって前記ユーザ通信装置に送信されるデータの前記タイプを調整するためのフィールドを備えるＣ２０に記載の方法。
[Ｃ２４]
前記既存のＭＡＣ制御要素は、前記電力ヘッドルーム制御要素であるＣ２０に記載の方法。
[Ｃ２５]
一データレートで基地局からデータを受信するための手段と、
ユーザ通信装置における混雑を特定するための手段と、
前記基地局に推奨されるデータレートの変更無線信号を送信するための手段と、
前記推奨されるデータレートで前記基地局からデータを受信するための手段と、を備える、無線通信システムにおいて動作可能な装置。
[Ｃ２６]
前記推奨されるデータレートを示すために前記基地局に追加のＭＡＣ制御要素を送信するための手段をさらに備えるＣ２５に記載の装置。
[Ｃ２７]
前記追加のＭＡＣ制御要素は、新たな要求されるデータレートを示すためのフィールドを備えるＣ２６に記載の装置。
[Ｃ２８]
前記追加のＭＡＣ制御要素は、最大転送ブロックサイズを示すためのフィールドを備えるＣ２６に記載の装置。
[Ｃ２９]
前記追加のＭＡＣ制御要素は、相対的最大転送ブロックサイズを示すためのフィールドを備えるＣ２６に記載の装置。
[Ｃ３０]
前記追加のＭＡＣ制御要素は、フロー制御タイマ値を示すためのフィールドを備えるＣ２６に記載の装置。
[Ｃ３１]
前記追加のＭＡＣ制御要素は、前記フロー制御タイマ値の適用を制御するフロー制御ビットを示すためのフィールドを備えるＣ３０に記載の装置。
[Ｃ３２]
前記推奨されるデータレートを示すために既存のＭＡＣ制御要素を変更し及び前記基地局に前記変更されたＭＡＣ制御要素を送信するための手段をさらに備えるＣ２５に記載の装置。
[Ｃ３３]
前記既存のＭＡＣ制御要素は、新たな要求されるデータレートを示すためのフィールドを備えるＣ３２に記載の装置。
[Ｃ３４]
前記既存のＭＡＣ制御要素は、縮小された最大転送ブロックサイズを示すためのフィールドを備えるＣ３２に記載の装置。
[Ｃ３５]
前記既存のＭＡＣ制御要素は、前記基地局によって前記ユーザ通信装置に送信されるデータの前記タイプを調整するためのフィールドを備えるＣ３２に記載の装置。
[Ｃ３６]
前記既存のＭＡＣ制御要素は、前記電力ヘッドルーム制御要素であるＣ３２に記載の装置。
[Ｃ３７]
一データレートで基地局からデータを受信し、
ユーザ通信装置における混雑を特定し、
前記基地局に推奨されるデータレートの変更無線信号を送信し、及び
前記推奨されるデータレートで前記基地局からデータを受信することを少なくとも１つのコンピュータに行わせるための符号を備えるコンピュータによって読み取り可能な媒体、を備える、コンピュータプログラム製品。
[Ｃ３８]
前記推奨されるデータレートを示すために前記基地局に追加のＭＡＣ制御要素を送信することを少なくとも１つのコンピュータに行わせるための符号をさらに備えるＣ３７に記載のコンピュータプログラム製品。
[Ｃ３９]
前記追加のＭＡＣ制御要素は、新たな要求されるデータレートを示すためのフィールドを備えるＣ３８に記載のコンピュータプログラム製品。
[Ｃ４０]
前記追加のＭＡＣ制御要素は、最大転送ブロックサイズを示すためのフィールドを備えるＣ３８に記載のコンピュータプログラム製品。
[Ｃ４１]
前記追加のＭＡＣ制御要素は、相対的最大転送ブロックサイズを示すためのフィールドを備えるＣ３８に記載のコンピュータプログラム製品。
[Ｃ４２]
前記追加のＭＡＣ制御要素は、フロー制御タイマ値を示すためのフィールドを備えるＣ４１に記載のコンピュータプログラム製品。
[Ｃ４３]
前記追加のＭＡＣ制御要素は、前記フロー制御タイマ値の適用を制御するフロー制御ビットを示すためのフィールドを備えるＣ４２に記載のコンピュータプログラム製品。
[Ｃ４４]
前記推奨されるデータレートを示すために既存のＭＡＣ制御要素を変更すること及び前記基地局に前記変更されたＭＡＣ制御要素を送信することを少なくとも１つのコンピュータに行わせるための符号をさらに備えるＣ３７に記載のコンピュータプログラム製品。
[Ｃ４５]
前記既存のＭＡＣ制御要素は、新たな要求されるデータレートを示すためのフィールドを備えるＣ４４に記載のコンピュータプログラム製品。
[Ｃ４６]
前記既存のＭＡＣ制御要素は、縮小された最大転送ブロックサイズを示すためのフィールドを備えるＣ４４に記載のコンピュータプログラム製品。
[Ｃ４７]
前記既存のＭＡＣ制御要素は、前記基地局によって前記ユーザ通信装置に送信されるデータの前記タイプを調整するためのフィールドを備えるＣ４４に記載のコンピュータプログラム製品。
[Ｃ４８]
前記既存のＭＡＣ制御要素は、前記電力ヘッドルーム制御要素であるＣ４４に記載のコンピュータプログラム製品。
【外国語明細書】
2014195272000001.pdf